(57)【要約】  アクセス制御方法は、端末のプロトコルスタック上位レイヤにより、オーバーライド識別子を獲得するステップと、端末のプロトコルスタック上位レイヤにより、端末により開始されたサービスに従ってアプリケーション・スペシフィック・コンジェスチョン・コントロール・フォー・データ・コネクティビティＡＣＤＣチェックを開始するステップと、コアネットワークにより送信され端末のプロトコルスタック上位レイヤにより受信されるオーバーライド識別子に従って、もし端末のプロトコルスタック上位レイヤが、端末により開始されたサービスがＡＣＤＣチェックにパスすることができることを確認するとともに、ＡＣＤＣチェックにパスするサービスのアプリケーション識別子に対応するオーバーライド識別子がアクセス・クラス・バーリングＡＣＢチェックをオーバーライドしていることを判定するならば、端末のプロトコルスタック上位レイヤにより、端末のアクセスレイヤにＲＲＣ確立要求メッセージを送信するステップであって、要求メッセージがＡＣＢチェックを実行しない指示を伝送する、ステップとを含み、したがって、ＡＣＢチェックは実行される必要がない。したがって、いくつかの特別な場合において、たとえ端末がＡＣＢチェックにパスすることができないとしても、端末は、まだいくつかの特定のアプリケーションのサービス（例えば、災害情報掲示板サービス）を実行することができる。
2016521080.tif 000002
【特許請求の範囲】
【請求項１】
アクセス制御方法であって、
端末のプロトコルスタック上位レイヤにより、オーバーライド識別子を獲得するステップと、
前記端末の前記プロトコルスタック上位レイヤにより、前記端末により開始されたサービスに従ってアプリケーション・スペシフィック・コンジェスチョン・コントロール・フォー・データ・コネクティビティＡＣＤＣチェックを開始するステップと、
もし前記端末の前記プロトコルスタック上位レイヤが、前記端末により開始された前記サービスが前記ＡＣＤＣチェックにパスすることができることを確認するとともに、前記ＡＣＤＣチェックにパスする前記サービスのアプリケーション識別子に対応する前記オーバーライド識別子がアクセス・クラス・バーリングＡＣＢチェックをオーバーライドしていることを判定するならば、前記端末の前記プロトコルスタック上位レイヤにより、前記端末のアクセスレイヤにＲＲＣ確立要求メッセージを送信するステップであって、前記要求メッセージがＡＣＢチェックを実行しない指示を伝送する、ステップか、又は、
もし前記端末の前記プロトコルスタック上位レイヤが、前記端末により開始された前記サービスが前記ＡＣＤＣチェックにパスすることができることを確認するとともに、前記ＡＣＤＣチェックにパスする前記サービスのアプリケーション識別子に対応する前記オーバーライド識別子がＡＣＢチェックをオーバーライドしていないことを判定するならば、前記端末の前記アクセスレイヤが前記ＡＣＢチェックがパスされることを確認したあとでＲＲＣ接続を確立するように、前記端末の前記プロトコルスタック上位レイヤにより、前記端末のアクセスレイヤにＲＲＣ確立要求メッセージを送信するステップとを含む、方法。
【請求項２】
端末のプロトコルスタック上位レイヤにより、オーバーライド識別子を獲得する前記ステップが、
前記端末の前記プロトコルスタック上位レイヤにより、コアネットワーク装置により送信されるオーバーライド識別子を受信するステップか、又は、
前記端末の前記プロトコルスタック上位レイヤにより、コアネットワーク装置により送信されるとともにオーバーライド識別子を伝送するサービスリストを受信するステップか、又は、
前記端末の前記プロトコルスタック上位レイヤにより、前記端末の前記アクセスレイヤにより送信されるとともにオーバーライド識別子を伝送するサービスリストを受信するステップか、又は、
前記端末の前記プロトコルスタック上位レイヤにより、前記端末の前記アクセスレイヤを使用することによって無線アクセスネットワーク装置により送信されるオーバーライド識別子を受信するステップか、又は、
前記端末の前記プロトコルスタック上位レイヤにより、局所的に設定されるカバレージ識別子を獲得するステップか、又は、
前記端末の前記プロトコルスタック上位レイヤにより、局所的に設定されるとともにオーバーライド識別子を伝送するサービスリストを獲得するステップを含む、請求項１に記載の方法。
【請求項３】
前記端末の前記プロトコルスタック上位レイヤが、前記端末により開始された前記サービスが前記ＡＣＤＣチェックにパスすることができると確認したあとで、当該方法が、
前記端末の前記プロトコルスタック上位レイヤにより、前記ＡＣＤＣチェックにパスする前記サービスの前記アプリケーション識別子に対応する前記オーバーライド識別子に従って前記ＡＣＢチェックが実行される必要があるかどうかを判定するステップを更に含む、請求項１又は請求項２に記載の方法。
【請求項４】
前記端末の前記プロトコルスタック上位レイヤにより、前記端末により開始されたサービスに従って前記ＡＣＤＣチェックを開始する前記ステップの前に、当該方法が、
もし前記端末がアイドル状態にあるならば、前記端末の前記プロトコルスタック上位レイヤにより、前記端末の前記アクセスレイヤにより送信されるシステム同報メッセージを受信するとともに、前記端末の前記プロトコルスタック上位レイヤに前記ＡＣＤＣチェックを開始することを通知するステップであって、前記無線アクセスネットワーク装置が、前記無線アクセスネットワーク装置及び／又はコアネットワーク装置が輻輳していることを知り、前記ＡＣＤＣチェックを開始したあとで、前記システム同報メッセージが、前記無線アクセスネットワーク装置により送信される、ステップか、又は、
もし前記端末が接続状態にあるならば、前記端末の前記プロトコルスタック上位レイヤにより、前記端末の前記アクセスレイヤにより送信される専用シグナリングを受信するとともに、前記端末の前記プロトコルスタック上位レイヤに前記ＡＣＤＣチェックを開始することを通知するステップであって、前記無線アクセスネットワーク装置が、前記無線アクセスネットワーク装置及び／又はコアネットワーク装置が輻輳していることを知り、前記ＡＣＤＣを開始したあとで、前記専用シグナリングが、前記無線アクセスネットワーク装置により送信される、ステップを更に含む、請求項１から請求項３のいずれか一項に記載の方法。
【請求項５】
アクセス制御方法であって、端末のアクセスレイヤにより、無線アクセスネットワーク装置により送信されるオーバーライド識別子を記憶するステップと、前記端末の前記アクセスレイヤにより、ＡＣＤＣチェック開始通知を送信するステップと、
前記端末により開始されたサービスがＡＣＤＣチェックにパスしたあとで、前記端末の前記アクセスレイヤにより、ＲＲＣ確立要求を受信するステップと、
もし前記端末の前記アクセスレイヤが、前記の記憶されたカバレージ識別子がＡＣＢチェックをオーバーライドしていることを判定するならば、ＲＲＣ接続を確立するステップと、
もし前記端末の前記アクセスレイヤが、前記の記憶されたカバレージ識別子がＡＣＢチェックをオーバーライドしていないことを判定するならば、前記ＡＣＢチェックを開始し、前記ＡＣＢチェックがパスされたあとでＲＲＣ接続を確立するステップとを含む、方法。
【請求項６】
端末のアクセスレイヤにより、無線アクセスネットワーク装置により送信されるオーバーライド識別子を記憶する前記ステップの前に、当該方法が、
前記端末の前記アクセスレイヤにより、前記無線アクセスネットワーク装置により送信される前記ＡＣＤＣチェック開始通知、サービスリスト、及び前記オーバーライド識別子を受信するステップか、又は、
前記端末の前記アクセスレイヤにより、前記無線アクセスネットワーク装置により送信される前記ＡＣＤＣチェック開始通知、及び前記オーバーライド識別子を受信するステップを更に含む、請求項５に記載の方法。
【請求項７】
アクセス制御方法であって、
端末のアクセスレイヤにより、ＡＣＤＣチェック開始通知を送信するステップと、
前記端末により開始されたサービスがＡＣＤＣチェックにパスしたあとで、前記端末の前記アクセスレイヤにより、ＲＲＣ確立要求を受信するステップであって、前記ＲＲＣ確立要求が、前記ＡＣＤＣチェックにパスする前記サービスのアプリケーション識別子に対応するオーバーライド識別子を伝送する、ステップと、
もし前記端末の前記アクセスレイヤが、前記オーバーライド識別子がＡＣＢチェックをオーバーライドしていることを判定するならば、ＲＲＣ接続を確立するステップか、又は、
もし前記端末の前記アクセスレイヤが、前記オーバーライド識別子がＡＣＢチェックをオーバーライドしていないことを判定するならば、前記ＡＣＢチェックを開始し、前記ＡＣＢチェックがパスされたあとでＲＲＣ接続を確立するステップとを含む、方法。
【請求項８】
端末のアクセスレイヤにより、ＡＣＤＣチェック開始通知を送信する前記ステップの前に、当該方法が、
前記端末の前記アクセスレイヤにより、無線アクセスネットワーク装置により送信される前記ＡＣＤＣチェック開始通知、サービスリスト、及び前記オーバーライド識別子を受信するステップか、又は、
前記端末の前記アクセスレイヤにより、無線アクセスネットワーク装置により送信される前記ＡＣＤＣチェック開始通知、及び前記オーバーライド識別子を受信するステップを更に含む、請求項７に記載の方法。
【請求項９】
アクセス制御方法であって、
端末のアクセスレイヤにより、ＡＣＤＣチェック開始通知を受信するステップと、
前記端末の前記アクセスレイヤにより、ＲＲＣ確立要求メッセージを受信するステップと、
もし前記ＲＲＣ確立要求メッセージがＡＣＢチェックを実行しない指示を伝送するならば、前記端末の前記アクセスレイヤにより、ＲＲＣ接続を確立するステップか、又は、
もし前記ＲＲＣ確立要求メッセージがＡＣＢチェックを実行する指示を伝送するならば、前記端末の前記アクセスレイヤにより、ＡＣＢチェックを実行し、前記ＡＣＢチェックがパスされたあとでＲＲＣ接続を確立するステップとを含む、方法。
【請求項１０】
端末であって、
プロトコルスタック上位レイヤにより、オーバーライド識別子を獲得するように構成される獲得モジュールと、
前記プロトコルスタック上位レイヤにより、当該端末により開始されたサービスに従ってアプリケーション・スペシフィック・コンジェスチョン・コントロール・フォー・データ・コネクティビティＡＣＤＣチェックを開始するように構成される処理モジュールと、
前記プロトコルスタック上位レイヤにより、当該端末により開始された前記サービスが前記ＡＣＤＣチェックにパスすることができることを確認するとともに、前記ＡＣＤＣチェックにパスする前記サービスのアプリケーション識別子に対応するとともに前記獲得モジュールにより獲得される前記オーバーライド識別子がアクセス・クラス・バーリングＡＣＢチェックをオーバーライドしていることを判定するように構成される判定モジュールと、
前記オーバーライド識別子が前記アクセス・クラス・バーリングＡＣＢチェックをオーバーライドしていることを前記判定モジュールが判定したあとで、前記プロトコルスタック上位レイヤにより、当該端末のアクセスレイヤにＲＲＣ確立要求メッセージを送信するように構成される送信モジュールであって、前記要求メッセージがＡＣＢチェックを実行しない指示を伝送する、前記送信モジュールとを備え、
前記判定モジュールが、前記プロトコルスタック上位レイヤにより、当該端末により開始された前記サービスが前記ＡＣＤＣチェックにパスすることができることを確認するとともに、前記ＡＣＤＣチェックにパスする前記サービスの前記アプリケーション識別子に対応するとともに前記獲得モジュールにより獲得される前記オーバーライド識別子が前記ＡＣＢチェックをオーバーライドしていないことを判定するように構成され、
前記送信モジュールが、前記オーバーライド識別子が前記ＡＣＢチェックをオーバーライドしていないことを前記判定モジュールが判定したあとで、前記アクセスレイヤが前記ＡＣＢチェックを確認したあとでＲＲＣ接続を確立するように、前記プロトコルスタック上位レイヤにより、当該端末のアクセスレイヤにＲＲＣ確立要求メッセージを送信するように構成される、端末。
【請求項１１】
前記獲得モジュールが、具体的に、
前記プロトコルスタック上位レイヤにより、コアネットワーク装置により送信されるオーバーライド識別子を受信するか、又は、
前記プロトコルスタック上位レイヤにより、コアネットワーク装置により送信されるとともにオーバーライド識別子を伝送するサービスリストを受信するか、又は、
前記プロトコルスタック上位レイヤにより、当該端末の前記アクセスレイヤにより送信されるとともにオーバーライド識別子を伝送するサービスリストを受信するか、又は、
前記プロトコルスタック上位レイヤにより、当該端末の前記アクセスレイヤを使用することによって無線アクセスネットワーク装置により送信されるオーバーライド識別子を受信するか、又は、
前記プロトコルスタック上位レイヤにより、局所的に設定されるカバレージ識別子を獲得するか、又は、
前記プロトコルスタック上位レイヤにより、局所的に設定されるとともにオーバーライド識別子を伝送するサービスリストを獲得するように構成される、請求項１０に記載の端末。
【請求項１２】
当該端末が、
前記プロトコルスタック上位レイヤにより、前記ＡＣＤＣチェックにパスする前記サービスの前記アプリケーション識別子に対応するとともに前記獲得モジュールにより獲得される前記オーバーライド識別子に従って前記ＡＣＢチェックが実行される必要があるかどうかを判定するように構成される判断モジュールを更に備える、請求項１０又は請求項１１に記載の端末。
【請求項１３】
当該端末が、
受信モジュールであって、前記プロトコルスタック上位レイヤにより、当該端末の前記アクセスレイヤにより送信されるシステム同報メッセージを受信するとともに、当該端末の前記プロトコルスタック上位レイヤに前記ＡＣＤＣチェックを開始することを通知するように構成され、前記無線アクセスネットワーク装置が、前記無線アクセスネットワーク装置及び／又はコアネットワーク装置が輻輳していることを知り、前記ＡＣＤＣチェックを開始したあとで、前記システム同報メッセージが、前記無線アクセスネットワーク装置により送信されるか、又は、前記プロトコルスタック上位レイヤにより、当該端末の前記アクセスレイヤにより送信される専用シグナリングを受信するとともに、当該端末の前記プロトコルスタック上位レイヤに前記ＡＣＤＣチェックを開始することを通知するように構成され、前記無線アクセスネットワーク装置が、前記無線アクセスネットワーク装置及び／又はコアネットワーク装置が輻輳していることを知り、前記ＡＣＤＣを開始したあとで、前記専用シグナリングが、前記無線アクセスネットワーク装置により送信される、前記受信モジュールを更に備える、請求項１０から請求項１２のいずれか一項に記載の端末。
【請求項１４】
端末であって、
アクセスレイヤにより、無線アクセスネットワーク装置により送信されるオーバーライド識別子を記憶するように構成される記憶モジュールと、
前記アクセスレイヤにより、ＡＣＤＣチェック開始通知を送信するように構成される送信モジュールと、
当該端末により開始されたサービスがＡＣＤＣチェックにパスしたあとで、前記アクセスレイヤにより、ＲＲＣ確立要求を受信するように構成される受信モジュールと、
前記アクセスレイヤが、前記記憶モジュールにより記憶される前記オーバーライド識別子がＡＣＢチェックをオーバーライドしていることを判定したあとで、ＲＲＣ接続を確立するように構成されるか、又は、前記アクセスレイヤが、前記記憶モジュールにより記憶される前記オーバーライド識別子がＡＣＢチェックをオーバーライドしていないことを判定したあとで、前記ＡＣＢチェックを開始し、前記ＡＣＢチェックがパスされたあとでＲＲＣ接続を確立するように構成される処理モジュールとを備える、端末。
【請求項１５】
前記受信モジュールが、
前記アクセスレイヤにより、前記無線アクセスネットワーク装置により送信される前記ＡＣＤＣチェック開始通知、サービスリスト、及び前記オーバーライド識別子を受信するか、又は、
前記アクセスレイヤにより、前記無線アクセスネットワーク装置により送信される前記ＡＣＤＣチェック開始通知、及び前記オーバーライド識別子を受信するように、更に構成される、請求項１４に記載の端末。
【請求項１６】
端末であって、
アクセスレイヤにより、ＡＣＤＣチェック開始通知を送信するように構成される送信モジュールと、
開始されたサービスがＡＣＤＣチェックにパスしたあとで、前記アクセスレイヤにより、ＲＲＣ確立要求を受信するように構成される受信モジュールであって、前記ＲＲＣ確立要求が、前記ＡＣＤＣチェックにパスする前記サービスのアプリケーション識別子に対応するオーバーライド識別子を伝送する、前記受信モジュールと、
前記アクセスレイヤが、前記受信モジュールにより受信される前記オーバーライド識別子がＡＣＢチェックをオーバーライドしていることを判定したあとで、ＲＲＣ接続を確立するように構成されるか、又は、前記アクセスレイヤが、前記受信モジュールにより受信される前記オーバーライド識別子がＡＣＢチェックをオーバーライドしていないことを判定したあとで、前記ＡＣＢチェックを開始し、前記ＡＣＢチェックがパスされたあとでＲＲＣ接続を確立するように構成される処理モジュールとを備える、端末。
【請求項１７】
前記受信モジュールが、
前記アクセスレイヤにより、無線アクセスネットワーク装置により送信される前記ＡＣＤＣチェック開始通知、サービスリスト、及び前記オーバーライド識別子を受信するか、又は、
前記アクセスレイヤにより、無線アクセスネットワーク装置により送信される前記ＡＣＤＣチェック開始通知、及び前記オーバーライド識別子を受信するように、更に構成される、請求項１６に記載の方法。
【請求項１８】
端末であって、
アクセスレイヤにより、ＡＣＤＣチェック開始通知を受信するように構成される受信モジュールであって、前記アクセスレイヤにより、ＲＲＣ確立要求メッセージを受信するように構成される、前記受信モジュールと、
もし前記受信モジュールにより受信される前記ＲＲＣ確立要求メッセージがＡＣＢチェックを実行しない指示を伝送するならば、当該端末の前記アクセスレイヤにより、ＲＲＣ接続を確立するように構成されるか、又は、もし前記受信モジュールにより受信される前記ＲＲＣ確立要求メッセージがＡＣＢチェックを実行する指示を伝送するならば、当該端末の前記アクセスレイヤにより、ＡＣＢチェックを実行し、前記ＡＣＢチェックがパスされたあとでＲＲＣ接続を確立するように構成される処理モジュールとを備える、端末。
【請求項１９】
端末であって、
プロトコルスタック上位レイヤにより、オーバーライド識別子を獲得するように構成されるプロセッサであって、前記プロトコルスタック上位レイヤにより、当該端末により開始されたサービスに従ってアプリケーション・スペシフィック・コンジェスチョン・コントロール・フォー・データ・コネクティビティＡＣＤＣチェックを開始するように構成され、前記プロトコルスタック上位レイヤにより、当該端末により開始された前記サービスが前記ＡＣＤＣチェックにパスすることができることを確認するとともに、前記ＡＣＤＣチェックにパスする前記サービスのアプリケーション識別子に対応する前記の獲得されたカバレージ識別子がアクセス・クラス・バーリングＡＣＢチェックをオーバーライドしていることを判定するように構成されるプロセッサと、
前記オーバーライド識別子が前記アクセス・クラス・バーリングＡＣＢチェックをオーバーライドしていることを前記プロセッサが判定したあとで、前記プロトコルスタック上位レイヤにより、当該端末のアクセスレイヤにＲＲＣ確立要求メッセージを送信するように構成される送信機であって、前記要求メッセージがＡＣＢチェックを実行しない指示を伝送する、前記送信機とを備え、
前記プロセッサが、前記プロトコルスタック上位レイヤにより、当該端末により開始された前記サービスが前記ＡＣＤＣチェックにパスすることができることを確認するとともに、前記ＡＣＤＣチェックにパスする前記サービスの前記アプリケーション識別子に対応する前記の獲得されたカバレージ識別子が前記ＡＣＢチェックをオーバーライドしていないことを判定するように構成され、
前記送信機が、前記オーバーライド識別子が前記ＡＣＢチェックをオーバーライドしていないことを前記プロセッサが判定したあとで、前記アクセスレイヤが前記ＡＣＢチェックを確認したあとでＲＲＣ接続を確立するように、前記プロトコルスタック上位レイヤにより、当該端末のアクセスレイヤにＲＲＣ確立要求メッセージを送信するように構成される、端末。
【請求項２０】
前記プロセッサが、具体的に、
前記プロトコルスタック上位レイヤにより、コアネットワーク装置により送信されるオーバーライド識別子を受信するか、又は、
前記プロトコルスタック上位レイヤにより、コアネットワーク装置により送信されるとともにオーバーライド識別子を伝送するサービスリストを受信するか、又は、
前記プロトコルスタック上位レイヤにより、当該端末の前記アクセスレイヤにより送信されるとともにオーバーライド識別子を伝送するサービスリストを受信するか、又は、
前記プロトコルスタック上位レイヤにより、当該端末の前記アクセスレイヤを使用することによって前記無線アクセスネットワーク装置により送信されるオーバーライド識別子を受信するか、又は、
前記プロトコルスタック上位レイヤにより、局所的に設定されるカバレージ識別子を獲得するか、又は、
前記プロトコルスタック上位レイヤにより、局所的に設定されるとともにオーバーライド識別子を伝送するサービスリストを獲得するように構成される、請求項１９に記載の端末。
【請求項２１】
前記プロセッサが、
前記プロトコルスタック上位レイヤにより、前記ＡＣＤＣチェックにパスする前記サービスの前記アプリケーション識別子に対応する前記の獲得されたカバレージ識別子に従って前記ＡＣＢチェックが実行される必要があるかどうかを判定するように更に構成される、請求項１９又は請求項２０に記載の端末。
【請求項２２】
当該端末が、
受信機であって、前記プロトコルスタック上位レイヤにより、当該端末の前記アクセスレイヤにより送信されるシステム同報メッセージを受信するとともに、当該端末の前記プロトコルスタック上位レイヤに前記ＡＣＤＣチェックを開始することを通知するように構成され、前記無線アクセスネットワーク装置が、前記無線アクセスネットワーク装置及び／又はコアネットワーク装置が輻輳していることを知り、前記ＡＣＤＣチェックを開始したあとで、前記システム同報メッセージが、前記無線アクセスネットワーク装置により送信されるか、又は、
前記プロトコルスタック上位レイヤにより、当該端末の前記アクセスレイヤにより送信される専用シグナリングを受信するとともに、当該端末の前記プロトコルスタック上位レイヤに前記ＡＣＤＣチェックを開始することを通知するように構成され、前記無線アクセスネットワーク装置が、前記無線アクセスネットワーク装置及び／又はコアネットワーク装置が輻輳していることを知り、前記ＡＣＤＣを開始したあとで、前記専用シグナリングが、前記無線アクセスネットワーク装置により送信される、前記受信機を更に備える、請求項１９から請求項２１のいずれか一項に記載の端末。
【請求項２３】
端末であって、
アクセスレイヤにより、無線アクセスネットワーク装置により送信されるオーバーライド識別子を記憶するように構成されるメモリと、前記アクセスレイヤにより、ＡＣＤＣチェック開始通知を送信するように構成される送信機と、
当該端末により開始されたサービスがＡＣＤＣチェックにパスしたあとで、前記アクセスレイヤにより、ＲＲＣ確立要求を受信するように構成される受信機と、
前記アクセスレイヤが、前記メモリにより記憶される前記オーバーライド識別子がＡＣＢチェックをオーバーライドしていることを判定したあとで、ＲＲＣ接続を確立するように構成されるか、又は、前記アクセスレイヤが、前記メモリにより記憶される前記オーバーライド識別子がＡＣＢチェックをオーバーライドしていないことを判定したあとで、前記ＡＣＢチェックを開始し、前記ＡＣＢチェックがパスされたあとでＲＲＣ接続を確立するように構成されるプロセッサとを備える、端末。
【請求項２４】
前記受信機が、
前記アクセスレイヤにより、前記無線アクセスネットワーク装置により送信される前記ＡＣＤＣチェック開始通知、サービスリスト、及び前記オーバーライド識別子を受信するか、又は、
前記アクセスレイヤにより、前記無線アクセスネットワーク装置により送信される前記ＡＣＤＣチェック開始通知、及び前記オーバーライド識別子を受信するように、更に構成される、請求項２２に記載の端末。
【請求項２５】
端末であって、
アクセスレイヤにより、ＡＣＤＣチェック開始通知を送信するように構成される送信機と、
開始されたサービスがＡＣＤＣチェックにパスしたあとで、前記アクセスレイヤにより、ＲＲＣ確立要求を受信するように構成される受信機であって、前記ＲＲＣ確立要求が、前記ＡＣＤＣチェックにパスする前記サービスのアプリケーション識別子に対応するオーバーライド識別子を伝送する、前記受信機と、
前記アクセスレイヤが、前記受信機により受信される前記オーバーライド識別子がＡＣＢチェックをオーバーライドしていることを判定したあとで、ＲＲＣ接続を確立するように構成されるか、又は、前記アクセスレイヤが、前記受信機により受信される前記オーバーライド識別子がＡＣＢチェックをオーバーライドしていないことを判定したあとで、前記ＡＣＢチェックを開始し、前記ＡＣＢチェックがパスされたあとでＲＲＣ接続を確立するように構成されるプロセッサとを備える、端末。
【請求項２６】
前記受信機が、
前記アクセスレイヤにより、無線アクセスネットワーク装置により送信される前記ＡＣＤＣチェック開始通知、サービスリスト、及び前記オーバーライド識別子を受信するか、又は、
前記アクセスレイヤにより、無線アクセスネットワーク装置により送信される前記ＡＣＤＣチェック開始通知、及び前記オーバーライド識別子を受信するように、更に構成される、請求項２４に記載の方法。
【請求項２７】
端末であって、
アクセスレイヤにより、ＡＣＤＣチェック開始通知を受信するように構成される受信機であって、前記アクセスレイヤにより、ＲＲＣ確立要求メッセージを受信するように構成される、前記受信機と、
もし前記受信機により受信される前記ＲＲＣ確立要求メッセージがＡＣＢチェックを実行しない指示を伝送するならば、当該端末の前記アクセスレイヤにより、ＲＲＣ接続を確立するように構成されるか、又は、もし前記受信機により受信される前記ＲＲＣ確立要求メッセージがＡＣＢチェックを実行する指示を伝送するならば、当該端末の前記アクセスレイヤにより、ＡＣＢチェックを実行し、前記ＡＣＢチェックがパスされたあとでＲＲＣ接続を確立するように構成される処理モジュールとを備える、端末。
【請求項２８】
アクセス制御システムであって、
端末と、コアネットワーク装置と、アクセスネットワーク装置とを備え、
前記端末が請求項１０から請求項１３のいずれか一項に記載の端末であるか、又は、前記端末が請求項１４若しくは請求項１５に記載の端末であるか、又は、前記端末が請求項１６若しくは請求項１７に記載の端末、あるいは請求項１８に記載の端末である、アクセス制御システム。
【発明の詳細な説明】
【技術分野】
【０００１】
本発明は、通信技術に関し、特に、アクセス制御方法及び装置に関する。
【背景技術】
【０００２】
現在、モバイルインターネットアプリケーションは、急速に発展しているとともに、携帯電話端末は、様々なアプリケーションを容易にダウンロードしてインストールすることができる。アプリケーションをダウンロードすること及びインストールすることはネットワーク側の輻輳を悪化させるので、ネットワークが輻輳する場合に、ネットワーク側は、ネットワークに対するいくらかのアプリケーションのアクセスを禁止する。しかしながら、いくらかの天災が発生する場合に、オペレータは、ネットワーク輻輳シナリオにおいて、（例えば災害情報掲示板サービス又は災害音声情報サービスのような）特定のアプリケーションに対して、特定のアプリケーションのために十分なリソースがあることを保証するために他のアプリケーションが禁止されると同時に、アクセス接続がまだ提供されることができることを望む。
【０００３】
したがって、３ＧＰＰは、２つのアクセス制御メカニズムを提供する。一方は、特定のアプリケーションを許可又は制限するために使用される、アプリケーション・スペシフィック・コンジェスチョン・コントロール・フォー・データ・コネクティビティ（Application  Specific  Congestion  Control  For  Data  Connectivity、ＡＣＤＣ）メカニズムである。他方は、ネットワーク輻輳の場合にアクセス負荷を削減するために使用される、アクセス・クラス・バーリング（Access  Class  Barring、ＡＣＢ）制御メカニズムである。
【０００４】
ネットワーク側は、同時にＡＣＤＣ及びＡＣＢアクセス制御メカニズムを開始する。アイドル状態における端末がサービスを開始する場合に、端末は、サービスを開始する前に、ＡＣＤＣチェック及びＡＣＢチェックにパスしなければならない。しかしながら、いくつかの特別な場合において、たとえ端末がＡＣＢチェックにパスすることができないとしても、いくつかの特定のアプリケーションのサービス（例えば、災害情報掲示板サービス）が実行されることができる、ということがまだ望まれるが、しかし、現存するメカニズムは、この要求を満たすことができない。その結果、いくつかの特定のアプリケーションのサービスが実行される必要がある場合に、端末が特定のアプリケーションのサービスを使用することができないので、ユーザの安全が保証できない。
【発明の概要】
【０００５】
これを考慮した結果、本発明の実施例はアクセス制御方法及び装置を提供し、したがって、ネットワーク側が同時にＡＣＤＣチェック及びＡＣＢチェックアクセス制御メカニズムを開始する場合に、端末はＡＣＢチェックを実行せずに特定のアプリケーションに対するアクセス接続を提供することができる。
【０００６】
第１の態様によれば、アクセス制御方法は、端末のプロトコルスタック上位レイヤにより、オーバーライド識別子を獲得するステップと、前記端末の前記プロトコルスタック上位レイヤにより、前記端末により開始されたサービスに従ってアプリケーション・スペシフィック・コンジェスチョン・コントロール・フォー・データ・コネクティビティＡＣＤＣチェックを開始するステップと、もし前記端末の前記プロトコルスタック上位レイヤが、前記端末により開始された前記サービスが前記ＡＣＤＣチェックにパスすることができることを確認するとともに、前記ＡＣＤＣチェックにパスする前記サービスのアプリケーション識別子に対応する前記オーバーライド識別子がアクセス・クラス・バーリングＡＣＢチェックをオーバーライドしていることを判定するならば、前記端末の前記プロトコルスタック上位レイヤにより、前記端末のアクセスレイヤにＲＲＣ確立要求メッセージを送信するステップであって、前記要求メッセージがＡＣＢチェックを実行しない指示を伝送する、ステップか、又は、もし前記端末の前記プロトコルスタック上位レイヤが、前記端末により開始された前記サービスが前記ＡＣＤＣチェックにパスすることができることを確認するとともに、前記ＡＣＤＣチェックにパスする前記サービスのアプリケーション識別子に対応する前記オーバーライド識別子がＡＣＢチェックをオーバーライドしていないことを判定するならば、前記端末の前記アクセスレイヤが前記ＡＣＢチェックを確認したあとでＲＲＣ接続を確立するように、前記端末の前記プロトコルスタック上位レイヤにより、前記端末のアクセスレイヤにＲＲＣ確立要求メッセージを送信するステップとを含む。
【０００７】
第１の態様に関連して、第１の態様の第１の可能な実施方法において、端末のプロトコルスタック上位レイヤにより、オーバーライド識別子を獲得する前記ステップは、前記端末の前記プロトコルスタック上位レイヤにより、コアネットワーク装置により送信されるオーバーライド識別子を受信するステップか、又は、前記端末の前記プロトコルスタック上位レイヤにより、コアネットワーク装置により送信されるとともにオーバーライド識別子を伝送するサービスリストを受信するステップか、又は、前記端末の前記プロトコルスタック上位レイヤにより、前記端末の前記アクセスレイヤにより送信されるとともにオーバーライド識別子を伝送するサービスリストを受信するステップか、又は、前記端末の前記プロトコルスタック上位レイヤにより、前記端末の前記アクセスレイヤを使用することによって無線アクセスネットワーク装置により送信されるオーバーライド識別子を受信するステップか、又は、前記端末の前記プロトコルスタック上位レイヤにより、局所的に設定されるカバレージ識別子を獲得するステップか、又は、前記端末の前記プロトコルスタック上位レイヤにより、局所的に設定されるとともにオーバーライド識別子を伝送するサービスリストを獲得するステップを含む。
【０００８】
第１の態様の第１の可能な実施方法に関連して、第１の態様の第２の可能な実施方法において、前記端末の前記プロトコルスタック上位レイヤが、前記端末により開始された前記サービスが前記ＡＣＤＣチェックにパスすることができると確認したあとで、当該方法は、前記端末の前記プロトコルスタック上位レイヤにより、前記ＡＣＤＣチェックにパスする前記サービスの前記アプリケーション識別子に対応する前記オーバーライド識別子に従って前記ＡＣＢチェックが実行される必要があるかどうかを判定するステップを更に含む。
【０００９】
第１の態様の第１又は第２の可能な実施方法に関連して、第１の態様の第３の可能な実施方法において、前記端末の前記プロトコルスタック上位レイヤにより、前記端末により開始されたサービスに従って前記ＡＣＤＣチェックを開始する前記ステップの前に、当該方法は、もし前記端末がアイドル状態にあるならば、前記端末の前記プロトコルスタック上位レイヤにより、前記端末の前記アクセスレイヤにより送信されるシステム同報メッセージを受信するとともに、前記端末の前記プロトコルスタック上位レイヤに前記ＡＣＤＣチェックを開始することを通知するステップであって、前記無線アクセスネットワーク装置が、前記無線アクセスネットワーク装置及び／又はコアネットワーク装置が輻輳していることを知り、前記ＡＣＤＣチェックを開始したあとで、前記システム同報メッセージが、前記無線アクセスネットワーク装置により送信される、ステップか、又は、もし前記端末が接続状態にあるならば、前記端末の前記プロトコルスタック上位レイヤにより、前記端末の前記アクセスレイヤにより送信される専用シグナリングを受信するとともに、前記端末の前記プロトコルスタック上位レイヤに前記ＡＣＤＣチェックを開始することを通知するステップであって、前記無線アクセスネットワーク装置が、前記無線アクセスネットワーク装置及び／又はコアネットワーク装置が輻輳していることを知り、前記ＡＣＤＣを開始したあとで、前記専用シグナリングが、前記無線アクセスネットワーク装置により送信される、ステップを更に含む。
【００１０】
第２の態様によれば、アクセス制御方法であって、端末のアクセスレイヤにより、無線アクセスネットワーク装置により送信されるオーバーライド識別子を記憶するステップと、前記端末の前記アクセスレイヤにより、ＡＣＤＣチェック開始通知を送信するステップと、前記端末により開始されたサービスがＡＣＤＣチェックにパスしたあとで、前記端末の前記アクセスレイヤにより、ＲＲＣ確立要求を受信するステップと、もし前記端末の前記アクセスレイヤが、前記の記憶されたカバレージ識別子がＡＣＢチェックをオーバーライドしていることを判定するならば、ＲＲＣ接続を確立するステップか、又は、もし前記端末の前記アクセスレイヤが、前記の記憶されたカバレージ識別子がＡＣＢチェックをオーバーライドしていないことを判定するならば、前記ＡＣＢチェックを開始し、前記ＡＣＢチェックがパスされたあとでＲＲＣ接続を確立するステップとを含む、アクセス制御方法が提供される。
【００１１】
第２の態様に関連して、第２の態様の第１の可能な実施方法において、端末のアクセスレイヤにより、無線アクセスネットワーク装置により送信されるオーバーライド識別子を記憶する前記ステップの前に、当該方法は、前記端末の前記アクセスレイヤにより、前記無線アクセスネットワーク装置により送信される前記ＡＣＤＣチェック開始通知、サービスリスト、及び前記オーバーライド識別子を受信するステップか、又は、前記端末の前記アクセスレイヤにより、前記無線アクセスネットワーク装置により送信される前記ＡＣＤＣチェック開始通知、及び前記オーバーライド識別子を受信するステップを更に含む。
【００１２】
第３の態様によれば、アクセス制御方法であって、端末のアクセスレイヤにより、ＡＣＤＣチェック開始通知を送信するステップと、前記端末により開始されたサービスがＡＣＤＣチェックにパスしたあとで、前記端末の前記アクセスレイヤにより、ＲＲＣ確立要求を受信するステップであって、前記ＲＲＣ確立要求が、前記ＡＣＤＣチェックにパスする前記サービスのアプリケーション識別子に対応するオーバーライド識別子を伝送する、ステップと、もし前記端末の前記アクセスレイヤが、前記オーバーライド識別子がＡＣＢチェックをオーバーライドしていることを判定するならば、ＲＲＣ接続を確立するステップか、又は、もし前記端末の前記アクセスレイヤが、前記オーバーライド識別子がＡＣＢチェックをオーバーライドしていないことを判定するならば、前記ＡＣＢチェックを開始し、前記ＡＣＢチェックがパスされたあとでＲＲＣ接続を確立するステップとを含む、アクセス制御方法が提供される。
【００１３】
第２の態様に関連して、第２の態様の第１の可能な実施方法において、端末のアクセスレイヤにより、ＡＣＤＣチェック開始通知を送信する前記ステップの前に、当該方法は、前記端末の前記アクセスレイヤにより、無線アクセスネットワーク装置により送信される前記ＡＣＤＣチェック開始通知、サービスリスト、及び前記オーバーライド識別子を受信するステップか、又は、前記端末の前記アクセスレイヤにより、無線アクセスネットワーク装置により送信される前記ＡＣＤＣチェック開始通知、及び前記オーバーライド識別子を受信するステップを更に含む。
【００１４】
第４の態様によれば、アクセス制御方法であって、端末のアクセスレイヤにより、ＡＣＤＣチェック開始通知を受信するステップと、前記端末の前記アクセスレイヤにより、ＲＲＣ確立要求メッセージを受信するステップと、もし前記ＲＲＣ確立要求メッセージがＡＣＢチェックを実行しない指示を伝送するならば、前記端末の前記アクセスレイヤにより、ＲＲＣ接続を確立するステップか、又は、もし前記ＲＲＣ確立要求メッセージがＡＣＢチェックを実行する指示を伝送するならば、前記端末の前記アクセスレイヤにより、ＡＣＢチェックを実行し、前記ＡＣＢチェックがパスされたあとでＲＲＣ接続を確立するステップとを含む、アクセス制御方法が提供される。
【００１５】
第５の態様によれば、端末であって、当該端末が、プロトコルスタック上位レイヤにより、オーバーライド識別子を獲得するように構成される獲得モジュールと、前記プロトコルスタック上位レイヤにより、当該端末により開始されたサービスに従ってアプリケーション・スペシフィック・コンジェスチョン・コントロール・フォー・データ・コネクティビティＡＣＤＣチェックを開始するように構成される処理モジュールと、前記プロトコルスタック上位レイヤにより、当該端末により開始された前記サービスが前記ＡＣＤＣチェックにパスすることができることを確認するとともに、前記ＡＣＤＣチェックにパスする前記サービスのアプリケーション識別子に対応するとともに前記獲得モジュールにより獲得される前記オーバーライド識別子がアクセス・クラス・バーリングＡＣＢチェックをオーバーライドしていることを判定するように構成される判定モジュールと、前記オーバーライド識別子が前記アクセス・クラス・バーリングＡＣＢチェックをオーバーライドしていることを前記判定モジュールが判定したあとで、前記プロトコルスタック上位レイヤにより、当該端末のアクセスレイヤにＲＲＣ確立要求メッセージを送信するように構成される送信モジュールであって、前記要求メッセージがＡＣＢチェックを実行しない指示を伝送する、前記送信モジュールとを含み、前記判定モジュールが、前記プロトコルスタック上位レイヤにより、当該端末により開始された前記サービスが前記ＡＣＤＣチェックにパスすることができることを確認するとともに、前記ＡＣＤＣチェックにパスする前記サービスの前記アプリケーション識別子に対応するとともに前記獲得モジュールにより獲得される前記オーバーライド識別子が前記ＡＣＢチェックをオーバーライドしていないことを判定するように構成され、前記送信モジュールが、前記オーバーライド識別子が前記ＡＣＢチェックをオーバーライドしていないことを前記判定モジュールが判定したあとで、前記アクセスレイヤが前記ＡＣＢチェックを確認したあとでＲＲＣ接続を確立するように、前記プロトコルスタック上位レイヤにより、当該端末のアクセスレイヤにＲＲＣ確立要求メッセージを送信するように構成される、端末が提供される。
【００１６】
第５の態様に関連して、第５の態様の第１の可能な実施方法において、前記獲得モジュールが、具体的に、前記プロトコルスタック上位レイヤにより、コアネットワーク装置により送信されるオーバーライド識別子を受信するか、又は、前記プロトコルスタック上位レイヤにより、コアネットワーク装置により送信されるとともにオーバーライド識別子を伝送するサービスリストを受信するか、又は、前記プロトコルスタック上位レイヤにより、当該端末の前記アクセスレイヤにより送信されるとともにオーバーライド識別子を伝送するサービスリストを受信するか、又は、前記プロトコルスタック上位レイヤにより、当該端末の前記アクセスレイヤを使用することによって無線アクセスネットワーク装置により送信されるオーバーライド識別子を受信するか、又は、前記プロトコルスタック上位レイヤにより、局所的に設定されるカバレージ識別子を獲得するか、又は、前記プロトコルスタック上位レイヤにより、局所的に設定されるとともにオーバーライド識別子を伝送するサービスリストを獲得するように構成される。
【００１７】
第５の態様の第１の可能な実施方法に関連して、第５の態様の第２の可能な実施方法において、当該端末は、前記プロトコルスタック上位レイヤにより、前記ＡＣＤＣチェックにパスする前記サービスの前記アプリケーション識別子に対応するとともに前記獲得モジュールにより獲得される前記オーバーライド識別子に従って前記ＡＣＢチェックが実行される必要があるかどうかを判定するように構成される判断モジュールを更に含む。
【００１８】
第５の態様の第１又は第２の可能な実施方法に関連して、第５の態様の第３の可能な実施方法において、当該端末は、受信モジュールであって、前記プロトコルスタック上位レイヤにより、当該端末の前記アクセスレイヤにより送信されるシステム同報メッセージを受信するとともに、当該端末の前記プロトコルスタック上位レイヤに前記ＡＣＤＣチェックを開始することを通知するように構成され、前記無線アクセスネットワーク装置が、前記無線アクセスネットワーク装置及び／又はコアネットワーク装置が輻輳していることを知り、前記ＡＣＤＣチェックを開始したあとで、前記システム同報メッセージが、前記無線アクセスネットワーク装置により送信されるか、又は、前記プロトコルスタック上位レイヤにより、当該端末の前記アクセスレイヤにより送信される専用シグナリングを受信するとともに、当該端末の前記プロトコルスタック上位レイヤに前記ＡＣＤＣチェックを開始することを通知するように構成され、前記無線アクセスネットワーク装置が、前記無線アクセスネットワーク装置及び／又はコアネットワーク装置が輻輳していることを知り、前記ＡＣＤＣを開始したあとで、前記専用シグナリングが、前記無線アクセスネットワーク装置により送信される、前記受信モジュールを更に含む。
【００１９】
第６の態様によれば、端末は、アクセスレイヤにより、ＡＣＤＣチェック開始通知を受信するように構成されるとともに、前記アクセスレイヤにより、ＲＲＣ確立要求メッセージを受信するように構成される、受信モジュールと、もし前記受信モジュールにより受信される前記ＲＲＣ確立要求メッセージがＡＣＢチェックを実行しない指示を伝送するならば、当該端末の前記アクセスレイヤにより、ＲＲＣ接続を確立するように構成されるか、又は、もし前記受信モジュールにより受信される前記ＲＲＣ確立要求メッセージがＡＣＢチェックを実行する指示を伝送するならば、当該端末の前記アクセスレイヤにより、ＡＣＢチェックを実行し、前記ＡＣＢチェックがパスされたあとでＲＲＣ接続を確立するように構成される処理モジュールとを含む。
【００２０】
第７の態様によれば、端末は、プロトコルスタック上位レイヤにより、オーバーライド識別子を獲得するように構成されるプロセッサであって、前記プロトコルスタック上位レイヤにより、当該端末により開始されたサービスに従ってアプリケーション・スペシフィック・コンジェスチョン・コントロール・フォー・データ・コネクティビティＡＣＤＣチェックを開始するように構成され、前記プロトコルスタック上位レイヤにより、当該端末により開始された前記サービスが前記ＡＣＤＣチェックにパスすることができることを確認するとともに、前記ＡＣＤＣチェックにパスする前記サービスのアプリケーション識別子に対応する前記の獲得されたカバレージ識別子がアクセス・クラス・バーリングＡＣＢチェックをオーバーライドしていることを判定するように構成されるプロセッサと、前記オーバーライド識別子が前記アクセス・クラス・バーリングＡＣＢチェックをオーバーライドしていることを前記プロセッサが判定したあとで、前記プロトコルスタック上位レイヤにより、当該端末のアクセスレイヤにＲＲＣ確立要求メッセージを送信するように構成される送信機であって、前記要求メッセージがＡＣＢチェックを実行しない指示を伝送する、前記送信機とを含み、前記プロセッサは、前記プロトコルスタック上位レイヤにより、当該端末により開始された前記サービスが前記ＡＣＤＣチェックにパスすることができることを確認するとともに、前記ＡＣＤＣチェックにパスする前記サービスの前記アプリケーション識別子に対応する前記の獲得されたカバレージ識別子が前記ＡＣＢチェックをオーバーライドしていないことを判定するように構成され、前記送信機は、前記オーバーライド識別子が前記ＡＣＢチェックをオーバーライドしていないことを前記プロセッサが判定したあとで、前記アクセスレイヤが前記ＡＣＢチェックを確認したあとでＲＲＣ接続を確立するように、前記プロトコルスタック上位レイヤにより、当該端末のアクセスレイヤにＲＲＣ確立要求メッセージを送信するように構成される。
【００２１】
第７の態様に関連して、第７の態様の第１の可能な実施方法において、前記受信機は、前記アクセスレイヤにより、無線アクセスネットワーク装置により送信される前記ＡＣＤＣチェック開始通知、サービスリスト、及び前記オーバーライド識別子を受信するか、又は、前記アクセスレイヤにより、無線アクセスネットワーク装置により送信される前記ＡＣＤＣチェック開始通知、及び前記オーバーライド識別子を受信するように、更に構成される。
【００２２】
第８の態様によれば、端末は、アクセスレイヤにより、ＡＣＤＣチェック開始通知を送信するように構成される送信機と、開始されたサービスがＡＣＤＣチェックにパスしたあとで、前記アクセスレイヤにより、ＲＲＣ確立要求を受信するように構成される受信機であって、前記ＲＲＣ確立要求が、前記ＡＣＤＣチェックにパスする前記サービスのアプリケーション識別子に対応するオーバーライド識別子を伝送する、前記受信機と、前記アクセスレイヤが、前記受信機により受信される前記オーバーライド識別子がＡＣＢチェックをオーバーライドしていることを判定したあとで、ＲＲＣ接続を確立するように構成されるか、又は、前記アクセスレイヤが、前記受信機により受信される前記オーバーライド識別子がＡＣＢチェックをオーバーライドしていないことを判定したあとで、前記ＡＣＢチェックを開始し、前記ＡＣＢチェックがパスされたあとでＲＲＣ接続を確立するように構成されるプロセッサとを含む。
【００２３】
第８の態様の第１の可能な実施方法において、前記受信機は、前記アクセスレイヤにより、無線アクセスネットワーク装置により送信される前記ＡＣＤＣチェック開始通知、サービスリスト、及び前記オーバーライド識別子を受信するように更に構成される。
【００２４】
第９の態様によれば、端末であって、当該端末が、アクセスレイヤにより、ＡＣＤＣチェック開始通知を受信するように構成される受信機であって、前記アクセスレイヤにより、ＲＲＣ確立要求メッセージを受信するように構成される、前記受信機と、もし前記受信機により受信される前記ＲＲＣ確立要求メッセージがＡＣＢチェックを実行しない指示を伝送するならば、当該端末の前記アクセスレイヤにより、ＲＲＣ接続を確立するように構成されるか、又は、もし前記受信機により受信される前記ＲＲＣ確立要求メッセージがＡＣＢチェックを実行する指示を伝送するならば、当該端末の前記アクセスレイヤにより、ＡＣＢチェックを実行し、前記ＡＣＢチェックがパスされたあとでＲＲＣ接続を確立するように構成される処理モジュールとを含む、端末が提供される。
【００２５】
第１０の態様によれば、アクセス制御システムであって、端末と、コアネットワーク装置と、アクセスネットワーク装置とを含み、前記端末が請求項１０から請求項１３のいずれか一項に記載の端末であるか、又は、前記端末が請求項１４若しくは請求項１５に記載の端末であるか、又は、前記端末が請求項１６若しくは請求項１７に記載の端末、あるいは請求項１８に記載の端末である、アクセス制御システムが提供される。
【００２６】
端末のプロトコルスタック上位レイヤは、コアネットワーク装置により送信されるオーバーライド識別子を受信し、もし端末のプロトコルスタック上位レイヤが、端末により開始されたサービスがＡＣＤＣチェックにパスすることができることを確認するとともに、ＡＣＤＣチェックにパスするサービスのアプリケーション識別子に対応するオーバーライド識別子がアクセス・クラス・バーリングＡＣＢチェックをオーバーライドしていることを判定するならば、端末のプロトコルスタック上位レイヤは、端末のアクセスレイヤにＲＲＣ確立要求メッセージを送信し、ここで、要求メッセージはＡＣＢチェックを実行しない指示を伝送し、したがって、ＡＣＢチェックは実行される必要がない。したがって、いくつかの特別な場合において、たとえ端末がＡＣＢチェックにパスすることができないとしても、端末は、まだいくつかの特定のアプリケーションのサービス（例えば、災害情報掲示板サービス）を実行することができる。
【００２７】
本発明の実施例における技術的解決法をより明確に説明するために、下記は、実施例を説明するために必要とされる添付図面を簡単に説明する。明らかに、下記の説明における添付図面は本発明のいくつかの実施例を単に表すとともに、当業者は、創造的な努力なしでこれらの添付図面からさらに他の図面を導き出し得る。
【図面の簡単な説明】
【００２８】
【図１】本発明の一実施例によるアクセス制御方法のフローチャートである。
【図２】本発明の別の実施例によるアクセス制御方法のフローチャートである。
【図３】本発明の別の実施例によるアクセス制御方法のフローチャートである。
【図４】本発明の別の実施例によるアクセス制御方法のフローチャートである。
【図５】本発明の別の実施例によるアクセス制御方法のフローチャートである。
【図６】本発明の別の実施例によるアクセス制御方法のフローチャートである。
【図７】本発明の別の実施例によるアクセス制御方法のフローチャートである。
【図８】本発明の別の実施例によるアクセス制御方法のフローチャートである。
【図９】本発明の別の実施例によるアクセス制御方法のフローチャートである。
【図１０】本発明の別の実施例によるアクセス制御方法のフローチャートである。
【図１１】本発明による端末の実施例の概略構造図である。
【図１２】本発明による端末の別の実施例の概略構造図である。
【図１３】本発明による端末の別の実施例の概略構造図である。
【図１４】本発明による端末の別の実施例の概略構造図である。
【図１５】本発明による端末の別の実施例の概略構造図である。
【図１６】本発明による端末の別の実施例の概略構造図である。
【図１７】本発明による端末の別の実施例の概略構造図である。
【図１８】本発明による端末の別の実施例の概略構造図である。
【図１９】本発明による端末の別の実施例の概略構造図である。
【図２０】本発明による端末の別の実施例の概略構造図である。
【発明を実施するための形態】
【００２９】
本発明の目的、技術的解決法、及び利点をより明確にするために、下記は、添付図面を参照して、さらに本発明を詳細に説明する。明らかに、説明される実施例は本発明の実施例の全てではなく、単なる一部である。創作的な努力なしで本発明の実施例に基づいて当業者により獲得される他の全ての実施例は、本発明の保護範囲に含まれるものとする。
【００３０】
図１は、本発明の一実施例によるアクセス制御方法のフローチャートである。この実施例は下記を含む。
【００３１】
ステップ１０１：端末のプロトコルスタック上位レイヤがオーバーライド識別子を獲得する。
【００３２】
端末のプロトコルスタック上位レイヤにより、オーバーライド識別子を獲得するステップは、端末のプロトコルスタック上位レイヤにより、コアネットワーク装置により送信されるオーバーライド識別子を受信するステップか、又は、端末のプロトコルスタック上位レイヤにより、コアネットワーク装置により送信されるとともにオーバーライド識別子を伝送するサービスリストを受信するステップか、又は、端末のプロトコルスタック上位レイヤにより、端末のアクセスレイヤにより送信されるとともにオーバーライド識別子を伝送するサービスリストを受信するステップか、又は、端末のプロトコルスタック上位レイヤにより、端末のアクセスレイヤを使用することによって無線アクセスネットワーク装置により送信されるオーバーライド識別子を受信するステップか、又は、端末のプロトコルスタック上位レイヤにより、局所的に設定されるカバレージ識別子を獲得するステップか、又は、端末のプロトコルスタック上位レイヤにより、局所的に設定されるとともにオーバーライド識別子を伝送するサービスリストを獲得するステップを含む。
【００３３】
ステップ１０２：端末のプロトコルスタック上位レイヤが端末により開始されたサービスに従ってＡＣＤＣチェックを開始する。
【００３４】
ステップ１０３ａ：もし端末のプロトコルスタック上位レイヤが、端末により開始されたサービスがＡＣＤＣチェックにパスすることができることを確認するとともに、ＡＣＤＣチェックにパスするサービスのアプリケーション識別子に対応するオーバーライド識別子がアクセス・クラス・バーリングＡＣＢチェックをオーバーライドしていることを判定するならば、端末のプロトコルスタック上位レイヤが、端末のアクセスレイヤにＲＲＣ確立要求メッセージを送信し、ここで、要求メッセージはＡＣＢチェックを実行しない指示を伝送する。
【００３５】
ステップ１０３ｂ：もし端末のプロトコルスタック上位レイヤが、端末により開始されたサービスがＡＣＤＣチェックにパスすることができることを確認するとともに、ＡＣＤＣチェックにパスするサービスのアプリケーション識別子に対応するオーバーライド識別子がＡＣＢチェックをオーバーライドしていないことを判定するならば、端末のアクセスレイヤがＡＣＢチェックを確認したあとでＲＲＣ接続を確立するように、端末のプロトコルスタック上位レイヤが、端末のアクセスレイヤにＲＲＣ確立要求メッセージを送信する。
【００３６】
端末のプロトコルスタック上位レイヤは、コアネットワークにより送信されるオーバーライド識別子を受信し、もし端末のプロトコルスタック上位レイヤが、端末により開始されたサービスがＡＣＤＣチェックにパスすることができることを確認するとともに、ＡＣＤＣチェックにパスするサービスのアプリケーション識別子に対応するオーバーライド識別子がアクセス・クラス・バーリングＡＣＢチェックをオーバーライドしていることを判定するならば、端末のプロトコルスタック上位レイヤは、端末のアクセスレイヤにＲＲＣ確立要求メッセージを送信し、ここで、要求メッセージはＡＣＢチェックを実行しない指示を伝送する。したがって、いくつかの特別な場合において、たとえ端末がＡＣＢチェックにパスすることができないとしても、端末は、まだいくつかの特定のアプリケーションのサービス（例えば、災害情報掲示板サービス）を実行することができる。
【００３７】
さらに、端末のプロトコルスタック上位レイヤが、端末により開始されたサービスがＡＣＤＣチェックにパスすることができると確認したあとで、方法は、端末のプロトコルスタック上位レイヤにより、ＡＣＤＣチェックにパスするサービスのアプリケーション識別子に対応するオーバーライド識別子に従ってＡＣＢチェックが実行される必要があるかどうかを判定するステップを更に含む。
【００３８】
さらに、端末のプロトコルスタック上位レイヤにより、端末により開始されたサービスに従ってＡＣＤＣチェックを開始するステップの前に、方法は、もし端末がアイドル状態にあるならば、端末のプロトコルスタック上位レイヤにより、端末のアクセスレイヤにより送信されるシステム同報メッセージを受信するとともに、端末のプロトコルスタック上位レイヤにＡＣＤＣチェックを開始することを通知するステップであって、無線アクセスネットワーク装置が、無線アクセスネットワーク装置及び／又はコアネットワーク装置が輻輳していることを知り、ＡＣＤＣチェックを開始したあとで、システム同報メッセージが、無線アクセスネットワーク装置により送信される、ステップか、又は、もし端末が接続状態にあるならば、端末のプロトコルスタック上位レイヤにより、端末のアクセスレイヤにより送信される専用シグナリングを受信するとともに、端末のプロトコルスタック上位レイヤにＡＣＤＣチェックを開始することを通知するステップであって、無線アクセスネットワーク装置が、無線アクセスネットワーク装置及び／又はコアネットワーク装置が輻輳していることを知り、ＡＣＤＣを開始したあとで、専用シグナリングが、無線アクセスネットワーク装置により送信される、ステップを更に含む。
【００３９】
図２は、本発明の別の実施例によるアクセス制御方法のフローチャートである。この実施例は下記を含む。
【００４０】
ステップ２０１：端末のアクセスレイヤが、無線アクセスネットワーク装置により送信されるオーバーライド識別子を記憶する。
【００４１】
ステップ２０２：端末のアクセスレイヤが、ＡＣＤＣチェック開始通知を送信する。
【００４２】
ステップ２０３：端末により開始されたサービスがＡＣＤＣチェックにパスしたあとで、端末のアクセスレイヤが、ＲＲＣ確立要求を受信する。
【００４３】
ステップ２０４ａ：もし記憶されたカバレージ識別子がＡＣＢチェックをオーバーライドしていることを判定するならば、端末のアクセスレイヤが、ＲＲＣ接続を確立する。
【００４４】
ステップ２０４ｂ：もし記憶されたカバレージ識別子がＡＣＢチェックをオーバーライドしていないことを判定するならば、端末のアクセスレイヤが、ＡＣＢチェックを開始し、ＡＣＢチェックがパスされたあとでＲＲＣ接続を確立する。
【００４５】
この実施例では、端末のアクセスレイヤが、オーバーライド識別子を受信して記憶し、端末により開始されたサービスがＡＣＤＣチェックにパスしたあとで、端末のアクセスレイヤが、ＲＲＣ確立要求を受信し、もし記憶されたカバレージ識別子がＡＣＢチェックをオーバーライドしていることを判定するならば、端末のアクセスレイヤが、ＲＲＣ接続を確立する。したがって、いくつかの特別な場合において、たとえ端末がＡＣＢチェックにパスすることができないとしても、端末は、まだいくつかの特定のアプリケーションのサービス（例えば、災害情報掲示板サービス）を実行することができる。
【００４６】
さらに、端末のアクセスレイヤにより、無線アクセスネットワーク装置により送信されるオーバーライド識別子を記憶するステップの前に、方法は、端末のアクセスレイヤにより、無線アクセスネットワーク装置により送信されるＡＣＤＣチェック開始通知、サービスリスト、及びオーバーライド識別子を受信するステップか、又は、端末のアクセスレイヤにより、無線アクセスネットワーク装置により送信されるＡＣＤＣチェック開始通知、及びオーバーライド識別子を受信するステップを更に含む。
【００４７】
図３は、本発明の一実施例によるアクセス制御方法のフローチャートである。この実施例は下記を含む。
【００４８】
３０１：コアネットワーク装置が、端末のプロトコルスタック上位レイヤにオーバーライド識別子を送信する。
【００４９】
例えば、コアネットワーク装置は、端末のプロトコルスタック上位レイヤにオープン・モバイル・アライアンス・デバイス管理（Open  Mobile  Alliance  Device  Management、ＯＭＡ  ＤＭ）メッセージ又は非アクセス層（Non  Access  Stratum、ＮＡＳ）メッセージを送信することができ、ここで、ＯＭＡ  ＤＭメッセージ又はＮＡＳメッセージはオーバーライド識別子を伝送し、ここで、ＮＡＳメッセージは、それらに限定されないが、アタッチ承認メッセージ、又は位置更新許可メッセージなどを含む。
【００５０】
端末のプロトコルスタック上位レイヤは、アプリケーションレイヤ及び／又はＮＡＳレイヤを含む。本発明のこの実施例は、実例としてアプリケーションレイヤ及びＮＡＳレイヤを使用することにより説明されるが、しかし、本発明はそれに限定されない。
【００５１】
３０２：コアネットワーク装置が輻輳しているとコアネットワーク装置が判定する。
【００５２】
３０３：コアネットワーク装置が、無線アクセスネットワーク装置にコアネットワーク装置の輻輳状態を通知する。
【００５３】
３０４：コアネットワーク装置が輻輳していることを無線アクセスネットワーク装置が知ったあとで、無線アクセスネットワーク装置が、ＡＣＤＣチェックを開始する。
【００５４】
３０５：端末にＡＣＤＣチェックを開始するように通知するために、無線アクセスネットワーク装置が、システム同報メッセージを送信する。
【００５５】
３０６：システム同報メッセージを受信したあとで、端末のアクセスレイヤが、端末のプロトコルスタック上位レイヤにＡＣＤＣチェックを開始することを通知する。
【００５６】
３０７：端末のプロトコルスタック上位レイヤが、ＡＣＤＣチェックを開始する。
【００５７】
３０８：端末のプロトコルスタック上位レイヤが、サービスリストに従って、端末により開始されたサービスがＡＣＤＣチェックにパスすることができることを確認する。
【００５８】
端末のプロトコルスタック上位レイヤは、サービスリストに従って、端末により開始されたサービスがＡＣＤＣチェックにパスすることができるかどうかを、下記の方法で判定し得る。端末がサービスを開始する場合に、端末のプロトコルスタック上位レイヤは、サービスリストに従って、開始されたサービスのアプリケーション識別子がサービスリストにあるかどうかを判定する。もし開始されたサービスのアプリケーション識別子がサービスリストにあるならば、アプリケーション識別子に対応するサービスが許可され、もし開始されたサービスのアプリケーション識別子がサービスリストにないならば、アプリケーション識別子に対応するサービスが禁止される。
【００５９】
端末は、下記の方法でサービスリストを獲得し得る。ステップ３０１において、コアネットワーク装置が、端末のプロトコルスタック上位レイヤにサービスリスト及びオーバーライド識別子を一緒に送信するか、又は、サービスリストが、出荷の前に端末に対して事前設定されるか、又は、ネットワークが、ＮＡＳメッセージ若しくはＯＭＡメッセージを使用することにより、端末に対してサービスリストを設定する。前述の獲得方法は、本発明のこの実施例において使用される単なる一例であり、本発明はそれに限定されない。
【００６０】
３０９：もし開始されたサービスがＡＣＤＣチェックにパスするならば、端末のプロトコルスタック上位レイヤが、ＡＣＤＣチェックにパスするサービスのアプリケーション識別子に対応するオーバーライド識別子に従ってＡＣＢチェックが実行される必要があるかどうかを判定する。
【００６１】
オーバーライド識別子は、サービスリストから独立していても良い。サービスリストは、ブラックリストの形式で、又はホワイトリストの形式で、表されることができ、ここで、ホワイトリストはＡＣＤＣチェックにパスすることを許可されるサービスに対応するアプリケーション識別子を含むとともに、ブラックリストは、ＡＣＤＣチェックにパスすることを禁止されるサービスに対応するアプリケーション識別子を含む。テーブル１において示されたように、サービスリストは、一例としてホワイトリスト形式を使用することにより記述される。
【００６２】
【表１】
2016521080.tif 000003
【００６３】
サービスリスト１は、３つのアプリケーション識別子ＡＰＰ１、ＡＰＰ２、及びＡＰＰ３を含むことができ、それは、ＡＣＤＣチェックが開始されたあとで、３つのアプリケーション識別子に対応するサービスだけが開始されることを許可される、ということを示す。例えば、ＡＰＰ１は災害情報掲示板サービスであるかもしれず、ＡＰＰ２はＱＱサービスであるかもしれず、そしてＡＰＰ３はInternetサービスであるかもしれない。オーバーライド識別子は、サービスリストから独立していても良く、１又は０の値を有し得る。例えば、オーバーライド識別子が０である場合に、それは、ＡＣＤＣチェックとＡＣＢチェックの両方が実行される必要があることを示し、オーバーライド識別子が１である場合に、それは、ＡＣＤＣチェックだけが実行される必要があることを示す。本発明のこの実施例は、オーバーライド識別子の値が、ＡＰＰ１、ＡＰＰ２、及びＡＰＰ３に対してＡＣＤＣチェックだけが実行されるとともに、ＡＣＢチェックは実行される必要がないことを示す１である一例を使用することにより説明される。
【００６４】
ステップ３０９においてＡＣＢチェックが実行される必要があるかどうかが判定されたあとで、判定結果に応じて、２つの場合、３１０ａ〜３１１ａと、３１０ｂとが存在する。
【００６５】
３１０ａ：もしＡＣＤＣチェックにパスするサービスのアプリケーション識別子に対応するオーバーライド識別子がＡＣＢチェックをオーバーライドしていないならば、端末のプロトコルスタック上位レイヤが、端末のアクセスレイヤにＲＲＣ確立を実行するように要求するとともに、ステップ３１１ａが実行される。
【００６６】
３１１ａ：端末のアクセスレイヤが、基地局の同報情報、及び端末のAccess  classに従ってＡＣＢチェックを実行するとともに、もしＡＣＢチェックがパスされるならば、ステップ３１２ａが実行される。
【００６７】
３１２ａ：端末のアクセスレイヤが、ＲＲＣ接続を確立するとともに、サービスを開始する。
【００６８】
３１０ｂ：もしＡＣＤＣチェックにパスするサービスのアプリケーション識別子に対応するオーバーライド識別子がＡＣＢチェックをオーバーライドしているならば、端末のプロトコルスタック上位レイヤが、端末のアクセスレイヤにＲＲＣ確立を実行するように要求するとともに、要求メッセージにＡＣＢチェックを実行しない表示を追加し、そしてステップ３１２ａが実行される。
【００６９】
この実施例では、端末のプロトコルスタック上位レイヤは、コアネットワークにより送信されるオーバーライド識別子を受信するとともに、サービスリストに従って、端末により開始されたサービスがＡＣＤＣチェックにパスすることができるかどうかを判定する。もし開始されたサービスがＡＣＤＣチェックにパスするとともに、ＡＣＤＣチェックにパスするサービスのアプリケーション識別子に対応するオーバーライド識別子がＡＣＢチェックをオーバーライドしているならば、ＡＣＢチェックは実行される必要がない。したがって、いくつかの特別な場合において、たとえ端末がＡＣＢチェックにパスすることができないとしても、端末は、まだいくつかの特定のアプリケーションのサービス（例えば、災害情報掲示板サービス）を実行することができる。
【００７０】
図４は、本発明の別の実施例によるアクセス制御方法のフローチャートである。この実施例におけるサービスリストは、オーバーライド識別子を含む。この実施例は下記を含む。
【００７１】
４０１：コアネットワーク装置が、端末のプロトコルスタック上位レイヤにサービスリストを送信し、ここで、サービスリストはオーバーライド識別子を含み、オーバーライド識別子はＡＣＤＣチェックがＡＣＢチェックをオーバーライドしているかどうかを判定するために使用される。
【００７２】
例えば、コアネットワーク装置は、端末のプロトコルスタック上位レイヤにＯＭＡ  ＤＭメッセージ又はＮＡＳメッセージを送信することができ、ここで、ＯＭＡ  ＤＭメッセージ又はＮＡＳメッセージはサービスリストを伝送する。
【００７３】
プロトコルスタック上位レイヤは、アプリケーションレイヤ及び／又はＮＡＳレイヤを含む。本発明のこの実施例は、実例としてアプリケーションレイヤ及びＮＡＳレイヤを使用することにより説明されるが、しかし、本発明はそれに限定されない。
【００７４】
４０２：コアネットワーク装置が輻輳しているとコアネットワーク装置が判定する。
【００７５】
４０３：コアネットワーク装置が、無線アクセスネットワーク装置にコアネットワーク装置の輻輳状態を通知する。
【００７６】
４０４：コアネットワーク装置が輻輳していることを無線アクセスネットワーク装置が知ったあとで、無線アクセスネットワーク装置が、ＡＣＤＣチェックを開始する。
【００７７】
４０５：端末にＡＣＤＣチェックを開始するように通知するために、無線アクセスネットワーク装置が、システム同報メッセージを送信する。
【００７８】
４０６：システム同報メッセージを受信したあとで、端末のアクセスレイヤが、端末のプロトコルスタック上位レイヤにＡＣＤＣチェックを開始することを通知する。
【００７９】
４０７：端末のプロトコルスタック上位レイヤが、ＡＣＤＣチェックを開始する。
【００８０】
４０８：端末のプロトコルスタック上位レイヤが、サービスリストに従って、端末により開始されたサービスがＡＣＤＣチェックにパスすることができることを確認する。
【００８１】
端末のプロトコルスタック上位レイヤは、サービスリストに従って、端末により開始されたサービスがＡＣＤＣチェックにパスすることができるかどうかを、下記の方法で判定し得る。端末がサービスを開始する場合に、端末のプロトコルスタック上位レイヤは、開始されたサービスのアプリケーション識別子がサービスリストにあるかどうかを判定する。もし開始されたサービスに対応するアプリケーション識別子がサービスリストにあるならば、そのサービスが許可され、もし開始されたサービスに対応するアプリケーション識別子がサービスリストにないならば、そのサービスが禁止される。
【００８２】
４０９：もし開始されたサービスがＡＣＤＣチェックにパスするならば、端末のプロトコルスタック上位レイヤが、ＡＣＤＣチェックにパスするサービスのアプリケーション識別子に対応するオーバーライド識別子に従ってＡＣＢチェックが実行される必要があるかどうかを判定する。
【００８３】
サービスリストは、ブラックリストの形式で、又はホワイトリストの形式で、表されることができ、ここで、ホワイトリストは許可されるサービスのアプリケーション識別子を含むとともに、ブラックリストは、禁止されるサービスのアプリケーション識別子を含む。各アプリケーション識別子は、ＡＣＤＣチェックがＡＣＢチェックをオーバーライドしているかどうかを示す識別子に対応する。テーブル１において示されたように、サービスリストは、一例としてホワイトリスト形式を使用することにより記述される。
【００８４】
【表２】
2016521080.tif 000004
【００８５】
サービスリスト１は、アプリケーション識別子、及びカバレージ識別子を含み得る。アプリケーション識別子は、ＡＰＰ１、ＡＰＰ２、及びＡＰＰ３を含むことができ、それは、ＡＣＤＣチェックが開始されたあとで、３つのアプリケーション識別子に対応するサービスだけが開始されることを許可される、ということを示す。例えば、ＡＰＰ１は災害情報掲示板サービスであるかもしれず、ＡＰＰ２はＱＱサービスであるかもしれず、そしてＡＰＰ３はInternetサービスであるかもしれない。オーバーライド識別子は、１又は０の値を有し得る。オーバーライド識別子の値が０である場合に、それは、ＡＣＤＣチェックとＡＣＢチェックの両方が実行される必要があることを示し、オーバーライド識別子の値が１である場合に、それは、ＡＣＤＣチェックだけが実行される必要があり、ＡＣＢチェックは実行される必要がないことを示す。したがって、ネットワーク輻輳の場合において、たとえ端末がＡＣＢチェックにパスすることができないとしても、端末は、まだ災害情報掲示板サービスを実行することができ、それにより、ユーザの安全を保証する。
【００８６】
ステップ４０９においてＡＣＢチェックが実行される必要があるかどうかが判定されたあとで、判定結果に応じて、２つの場合、４１０ａ〜４１１ａと、４１０ｂとが存在する。
【００８７】
４１０ａ：もしＡＣＤＣチェックにパスするサービスのアプリケーション識別子に対応するオーバーライド識別子がＡＣＢチェックをオーバーライドしていないならば、端末のプロトコルスタック上位レイヤが、端末のアクセスレイヤにＲＲＣ確立を実行するように要求するとともに、ステップ４１１ａが実行される。
【００８８】
４１１ａ：端末のアクセスレイヤが、基地局の同報情報、及び端末のAccess  classに従ってＡＣＢチェックを実行するとともに、もしＡＣＢチェックがパスされるならば、ステップ４１２ａが実行される。
【００８９】
４１２ａ：端末のアクセスレイヤが、ＲＲＣ接続を確立するとともに、サービスを開始する。
【００９０】
４１０ｂ：もしＡＣＤＣチェックにパスするサービスのアプリケーション識別子に対応するオーバーライド識別子がＡＣＢチェックをオーバーライドしているならば、端末のプロトコルスタック上位レイヤが、端末のアクセスレイヤにＲＲＣ確立要求を送信するとともに、要求メッセージにＡＣＢチェックを実行しない表示を追加し、そしてステップ４１２ａが実行される。
【００９１】
この実施例では、端末は、コアネットワーク装置により送信されるサービスリストを受信し、ここで、サービスリストはオーバーライド識別子を含み、端末のプロトコルスタック上位レイヤは、サービスリストに従って、端末により開始されたサービスがＡＣＤＣチェックにパスすることができるかどうかを判定する。もし開始されたサービスがＡＣＤＣチェックにパスするとともに、ＡＣＤＣチェックにパスするサービスのアプリケーション識別子に対応するオーバーライド識別子がＡＣＢチェックをオーバーライドしているならば、ＡＣＢチェックは実行される必要がない。したがって、いくつかの特別な場合において、たとえ端末がＡＣＢチェックにパスすることができないとしても、端末は、まだいくつかの特定のアプリケーションのサービス（例えば、災害情報掲示板サービス）を実行することができる。
【００９２】
図５は、本発明の別の実施例によるアクセス制御方法のフローチャートである。この実施例では、もし端末により開始されたサービスがＡＣＤＣチェックにパスすることができるならば、端末のプロトコルスタック上位レイヤは、端末のアクセスレイヤにオーバーライド識別子を送信し、端末のアクセスレイヤは、ＡＣＢチェックを実行するかどうかを判定する。この実施例は下記を含む。
【００９３】
ステップ５０１〜５０８は、図４において示された実施例におけるステップ４０１〜４０８と同様であり、ここでは詳細に説明されない。
【００９４】
５０９：もし開始されたサービスがＡＣＤＣチェックにパスするならば、端末のプロトコルスタック上位レイヤが、端末のアクセスレイヤにＲＲＣ接続確立要求を送信し、ここで、ＲＲＣ接続確立要求はＡＣＤＣチェックにパスするサービスのアプリケーション識別子に対応するオーバーライド識別子を有する。
【００９５】
５１０：端末のアクセスレイヤは、受信されたカバレージ識別子に従ってＡＣＢチェックが実行される必要があるかどうかを判定する。
【００９６】
ステップ５１０においてＡＣＢチェックが実行される必要があるかどうかが判定されたあとで、判定結果に応じて、２つの場合、５１１ａ〜５１２ａと、５１１ｂとが存在する。
【００９７】
５１１ａ：もし端末のアクセスレイヤにより受信されるオーバーライド識別子がＡＣＢチェックをオーバーライドしていないならば、端末のアクセスレイヤが、基地局の同報情報、及び端末のAccess  classに従ってＡＣＢチェックを標準的に実行するとともに、もしＡＣＢチェックがパスされるならば、５１２ａが実行される。
【００９８】
５１２ａ：端末のアクセスレイヤが、ＲＲＣ接続を確立するとともに、サービスを開始する。
【００９９】
５１１ｂ：もし端末のアクセスレイヤにより受信されるオーバーライド識別子がＡＣＢチェックをオーバーライドしているならば、端末のアクセスレイヤはＡＣＢチェックを実行する必要がなく、端末のアクセスレイヤがステップ５１２ａを実行する。
【０１００】
この実施例では、端末は、コアネットワークにより送信されるサービスリストを受信し、ここで、サービスリストはオーバーライド識別子を含み、もし開始されたサービスがＡＣＤＣチェックにパスすることを判定するならば、端末のプロトコルスタック上位レイヤは、端末のアクセスレイヤにＡＣＤＣチェックにパスするサービスのアプリケーション識別子に対応するオーバーライド識別子を送信し、もしオーバーライド識別子がＡＣＢチェックをオーバーライドする識別子であるならば、ＡＣＢチェックは実行される必要がない。したがって、いくつかの特別な場合において、たとえ端末がＡＣＢチェックにパスすることができないとしても、端末は、まだいくつかの特定のアプリケーションのサービス（例えば、災害情報掲示板サービス）を実行することができる。
【０１０１】
図６は、本発明の別の実施例によるアクセス制御方法のフローチャートである。この実施例は、図５において示された実施例と同様である。この実施例は下記を含む。
【０１０２】
ステップ６０１：コアネットワーク装置が、端末のプロトコルスタック上位レイヤにオーバーライド識別子を送信する。
【０１０３】
ステップ６０２〜６０７は、実施例５におけるステップ５０２〜５０７と同様であり、ここでは詳細に説明されない。
【０１０４】
ステップ６０８：端末のプロトコルスタック上位レイヤが、サービスリストに従って、端末により開始されたサービスがＡＣＤＣチェックにパスすることができることを確認する。
【０１０５】
端末のプロトコルスタック上位レイヤは、サービスリストに従って、端末により開始されたサービスがＡＣＤＣチェックにパスすることができるかどうかを、下記の方法で判定し得る。端末がサービスを開始する場合に、端末のプロトコルスタック上位レイヤは、サービスリストに従って、開始されたサービスのアプリケーション識別子がサービスリストにあるかどうかを判定する。もし開始されたサービスのアプリケーション識別子がサービスリストにあるならば、アプリケーション識別子に対応するサービスが許可され、もし開始されたサービスのアプリケーション識別子がサービスリストにないならば、アプリケーション識別子に対応するサービスが禁止される。
【０１０６】
端末によりサービスリストを獲得するために使用される方法は、下記を含み得る。ステップ６０１において、コアネットワーク装置が、端末のプロトコルスタック上位レイヤにサービスリスト及びオーバーライド識別子を一緒に送信するか、又は、サービスリストが、出荷の前に端末に事前設定されるか、又は、ネットワークが、ＮＡＳメッセージ若しくはＯＭＡメッセージを使用することにより、端末にサービスリストを設定する。前述の獲得方法は、本発明のこの実施例において使用される単なる一例であり、本発明はそれに限定されない。
【０１０７】
ステップ６０９〜６１２ａは、実施例５におけるステップ５０９〜５１２ａと同様であり、ここでは詳細に説明されない。
【０１０８】
この実施例では、端末のプロトコルスタック上位レイヤは、コアネットワーク装置により送信されるオーバーライド識別子を受信し、もし開始されたサービスがＡＣＤＣチェックにパスすることを判定するならば、端末のプロトコルスタック上位レイヤは、端末のアクセスレイヤにＡＣＤＣチェックにパスするサービスのアプリケーション識別子に対応するオーバーライド識別子を送信し、もしオーバーライド識別子がＡＣＢチェックをオーバーライドする識別子であるならば、ＡＣＢチェックは実行される必要がない。したがって、いくつかの特別な場合において、たとえ端末がＡＣＢチェックにパスすることができないとしても、端末は、まだいくつかの特定のアプリケーションのサービス（例えば、災害情報掲示板サービス）を実行することができる。
【０１０９】
図７は、本発明の別の実施例によるアクセス制御方法のフローチャートである。この実施例における無線アクセスネットワーク装置は、端末のアクセスレイヤにＡＣＤＣチェックがＡＣＢチェックをオーバーライドするかどうかを示す指示を含むシステム同報メッセージを送信する。この実施例は下記を含む。
【０１１０】
７０１：コアネットワーク装置が輻輳しているとコアネットワーク装置が判定する。
【０１１１】
７０２：コアネットワーク装置が、無線アクセスネットワーク装置にコアネットワーク装置の輻輳状態を通知する。
【０１１２】
７０３：コアネットワーク装置が輻輳していることを無線アクセスネットワーク装置が知ったあとで、無線アクセスネットワーク装置が、ＡＣＤＣチェックを開始する。
【０１１３】
７０４：端末にＡＣＤＣチェックを開始するように通知するために、無線アクセスネットワーク装置が、端末のアクセスレイヤにシステム同報メッセージを送信し、ここで、同報メッセージはサービスリストを伝送し、サービスリストはオーバーライド識別子を含む。
【０１１４】
７０５：端末のアクセスレイヤがシステム同報メッセージを受信したあとで、端末のアクセスレイヤが、端末のプロトコルスタック上位レイヤにＡＣＤＣチェック開始通知を送信し、ここで、通知はサービスリストを伝送し、サービスリストはオーバーライド識別子を含む。
【０１１５】
７０６：端末のプロトコルスタック上位レイヤが、ＡＣＤＣチェックを開始する。
【０１１６】
７０７：端末のプロトコルスタック上位レイヤが、サービスリストに従って、端末により開始されたサービスがＡＣＤＣチェックにパスすることができるかどうかを判定し、もし開始されたサービスがＡＣＤＣチェックにパスするならば、ステップ７０８が実行される。
【０１１７】
端末がサービスを開始する場合に、端末のプロトコルスタック上位レイヤは、開始されたサービスのアプリケーション識別子がサービスリストにあるかどうかを判定する。もし開始されたサービスに対応するアプリケーション識別子がサービスリストにあるならば、そのサービスが許可され、もし開始されたサービスに対応するアプリケーション識別子がサービスリストにないならば、そのサービスが禁止される。
【０１１８】
７０８：端末のプロトコルスタック上位レイヤが、ＡＣＤＣチェックにパスするサービスのアプリケーション識別子に対応するオーバーライド識別子に従ってＡＣＢチェックが実行される必要があるかどうかを判定する。
【０１１９】
ステップ７０８においてＡＣＢチェックが実行される必要があるかどうかが判定されたあとで、判定結果に応じて、２つの場合、７０９ａ〜７１０ａと、７０９ｂとが存在する。
【０１２０】
７０９ａ：もしＡＣＤＣチェックにパスするサービスのアプリケーション識別子に対応するオーバーライド識別子がＡＣＢチェックをオーバーライドしていないならば、端末のプロトコルスタック上位レイヤが、端末のアクセスレイヤにＲＲＣ確立を実行するように要求するとともに、ステップ７１０ａが実行される。
【０１２１】
７１０ａ：端末のアクセスレイヤが、基地局の同報情報、及び端末のAccess  classに従ってＡＣＢチェックを実行するとともに、もしＡＣＢチェックがパスされるならば、ステップ７１１ａが実行される。
【０１２２】
７１１ａ：端末のアクセスレイヤが、ＲＲＣ接続を確立するとともに、サービスを開始する。
【０１２３】
７０９ｂ：もしＡＣＤＣチェックにパスするサービスのアプリケーション識別子に対応するオーバーライド識別子がＡＣＢチェックをオーバーライドしているならば、端末のプロトコルスタック上位レイヤが、端末のアクセスレイヤにＲＲＣ確立を実行するように要求するとともに、要求メッセージにＡＣＢチェックを実行しない表示を追加し、そしてステップ７１１ａが実行される。
【０１２４】
この実施例では、端末のプロトコルスタック上位レイヤは、端末のアクセスレイヤにより送信されるサービスリストを受信し、ここで、サービスリストはオーバーライド識別子を含み、もし端末のプロトコルスタック上位レイヤが、開始されたサービスがＡＣＤＣチェックにパスするとともに、ＡＣＤＣチェックにパスするサービスのアプリケーション識別子に対応するオーバーライド識別子がＡＣＢチェックをオーバーライドしていると判定するならば、ＡＣＢチェックは実行される必要がない。したがって、いくつかの特別な場合において、たとえ端末がＡＣＢチェックにパスすることができないとしても、端末は、まだいくつかの特定のアプリケーションのサービス（例えば、災害情報掲示板サービス）を実行することができる。
【０１２５】
図８は、本発明の別の実施例によるアクセス制御方法のフローチャートである。アクセス制御方法は、図７において示された実施例と同様であるとともに、差異はステップ８０４及び８０５にあり、すなわち、オーバーライド識別子がサービスリストから独立している。この実施例は下記を含む。
【０１２６】
８０４：端末にＡＣＤＣチェックを開始するように通知するために、無線アクセスネットワーク装置が、端末のアクセスレイヤにシステム同報メッセージを送信し、ここで、同報メッセージはサービスリスト及びオーバーライド識別子を伝送する。
【０１２７】
８０５：端末のアクセスレイヤがシステム同報メッセージを受信したあとで、端末のアクセスレイヤが、端末のプロトコルスタック上位レイヤにＡＣＤＣチェック開始通知を送信し、ここで、通知はサービスリスト及びオーバーライド識別子を伝送する。
【０１２８】
この実施例では、端末のプロトコルスタック上位レイヤは、端末のアクセスレイヤにより送信されるサービスリスト及びオーバーライド識別子を受信し、もし端末のプロトコルスタック上位レイヤが、開始されたサービスがＡＣＤＣチェックにパスするとともに、ＡＣＤＣチェックにパスするサービスのアプリケーション識別子に対応するオーバーライド識別子がＡＣＢチェックをオーバーライドしていると判定するならば、ＡＣＢチェックは実行される必要がない。したがって、いくつかの特別な場合において、たとえ端末がＡＣＢチェックにパスすることができないとしても、端末は、まだいくつかの特定のアプリケーションのサービス（例えば、災害情報掲示板サービス）を実行することができる。
【０１２９】
図９は、本発明の別の実施例によるアクセス制御方法のフローチャートである。この実施例は下記を含む。
【０１３０】
９０１：コアネットワーク装置が輻輳しているとコアネットワーク装置が判定する。
【０１３１】
９０２：コアネットワーク装置が、無線アクセスネットワーク装置にコアネットワーク装置の輻輳状態を通知する。
【０１３２】
９０３：コアネットワーク装置が輻輳していることを無線アクセスネットワーク装置が知ったあとで、無線アクセスネットワーク装置が、ＡＣＤＣチェックを開始する。
【０１３３】
９０４：端末にＡＣＤＣチェックを開始するように通知するために、無線アクセスネットワーク装置が、端末のアクセスレイヤにシステム同報メッセージを送信し、ここで、同報メッセージはサービスリスト及びオーバーライド識別子を伝送する。
【０１３４】
９０５：端末のアクセスレイヤはオーバーライド識別子を記憶する。
【０１３５】
９０６：端末のアクセスレイヤがシステム同報メッセージを受信したあとで、端末のアクセスレイヤが、端末のプロトコルスタック上位レイヤにＡＣＤＣチェック開始通知を送信し、ここで、通知はサービスリストを伝送する。
【０１３６】
９０７：端末のプロトコルスタック上位レイヤが、ＡＣＤＣチェックを開始する。
【０１３７】
９０８：端末のプロトコルスタック上位レイヤが、サービスリストに従って、端末により開始されたサービスがＡＣＤＣチェックにパスすることができることを確認する。
【０１３８】
端末のプロトコルスタック上位レイヤは、サービスリストに従って、端末により開始されたサービスがＡＣＤＣチェックにパスすることができるかどうかを、下記の方法で判定し得る。端末がサービスを開始する場合に、端末のプロトコルスタック上位レイヤは、開始されたサービスのアプリケーション識別子がサービスリストにあるかどうかを判定する。もし開始されたサービスに対応するアプリケーション識別子がサービスリストにあるならば、そのサービスが許可され、もし開始されたサービスに対応するアプリケーション識別子がサービスリストにないならば、そのサービスが禁止される。
【０１３９】
９０９：端末のプロトコルスタック上位レイヤが、端末のアクセスレイヤにＲＲＣ接続確立要求を送信する。
【０１４０】
９１０：端末のアクセスレイヤが、ステップ９０５において記憶されたオーバーライド識別子に従って、オーバーライド識別子がＡＣＢチェックをオーバーライドしているかどうかを確認する。
【０１４１】
この実施例における確認方法は、前述の実施例における確認方法と異なる。この実施例では、端末のアクセスレイヤは、ＲＲＣ確立要求を受信することだけを必要とし、それは、端末のアクセスレイヤが記憶されたカバレージ識別子がＡＣＢチェックをオーバーライドしているかどうかを確認することを誘発する。
【０１４２】
ステップ９１０においてＡＣＢチェックが実行される必要があるかどうかが判定されたあとで、判定結果に応じて、２つの場合、９１１ａ〜９１２ａと、９１１ｂとが存在する。
【０１４３】
９１１ａ：もし端末のアクセスレイヤにより受信されるオーバーライド識別子がＡＣＢチェックをオーバーライドしていないならば、端末のアクセスレイヤが、基地局の同報情報、及び端末のAccess  classに従ってＡＣＢチェックを標準的に実行するとともに、もしＡＣＢチェックがパスされるならば、ステップ９１２ａが実行される。
【０１４４】
９１２ａ：端末のアクセスレイヤが、ＲＲＣ接続を確立するとともに、サービスを開始する。
【０１４５】
９１１ｂ：もし端末のアクセスレイヤにより受信されるオーバーライド識別子がＡＣＢチェックをオーバーライドしているならば、端末のアクセスレイヤはＡＣＢチェックを実行する必要がなく、端末のアクセスレイヤが直接的にステップ９１２ａを実行する。
【０１４６】
この実施例では、端末のアクセスレイヤは、無線アクセスネットワーク装置により送信されるオーバーライド識別子を記憶し、もし開始されたサービスがＡＣＤＣチェックにパスすることを判定するならば、端末のプロトコルスタック上位レイヤは、端末のアクセスレイヤが記憶されたカバレージ識別子に従ってオーバーライド識別子がＡＣＢチェックをオーバーライドしているかどうかを確認することを誘発するために、端末のアクセスレイヤにＲＲＣ確立要求を送信し、もしオーバーライド識別子がＡＣＢチェックをオーバーライドしているならば、ＡＣＢチェックは実行される必要がない。したがって、いくつかの特別な場合において、たとえ端末がＡＣＢチェックにパスすることができないとしても、端末は、まだいくつかの特定のアプリケーションのサービス（例えば、災害情報掲示板サービス）を実行することができる。
【０１４７】
図１０は、本発明の別の実施例によるアクセス制御方法のフローチャートである。この実施例は、図９において示された実施例と同様である。この実施例は下記を含む。
【０１４８】
ステップ１００１〜１００３は、実施例９におけるステップ９０１〜９０３と同様であり、ここでは詳細に説明されない。
【０１４９】
ステップ１００４：端末にＡＣＤＣチェックを開始するように通知するために、無線アクセスネットワーク装置が、端末のアクセスレイヤにシステム同報メッセージを送信し、ここで、同報メッセージはオーバーライド識別子を伝送する。
【０１５０】
ステップ１００５：端末のアクセスレイヤはオーバーライド識別子を記憶する。
【０１５１】
ステップ１００６：システム同報メッセージを受信したあとで、端末のアクセスレイヤが、端末のプロトコルスタック上位レイヤにＡＣＤＣチェック開始通知を送信する。
【０１５２】
ステップ１００７：端末のプロトコルスタック上位レイヤが、ＡＣＤＣチェックを開始する。
【０１５３】
ステップ１００８：端末のプロトコルスタック上位レイヤが、サービスリストに従って、端末により開始されたサービスがＡＣＤＣチェックにパスすることができることを確認する。
【０１５４】
端末のプロトコルスタック上位レイヤは、サービスリストに従って、端末により開始されたサービスがＡＣＤＣチェックにパスすることができるかどうかを、下記の方法で判定し得る。端末がサービスを開始する場合に、端末のプロトコルスタック上位レイヤは、サービスリストに従って、開始されたサービスのアプリケーション識別子がサービスリストにあるかどうかを判定する。もし開始されたサービスのアプリケーション識別子がサービスリストにあるならば、アプリケーション識別子に対応するサービスが許可され、もし開始されたサービスのアプリケーション識別子がサービスリストにないならば、アプリケーション識別子に対応するサービスが禁止される。
【０１５５】
端末によりサービスリストを獲得するために使用される方法は、下記を含み得る。ステップ１００１において、無線アクセスネットワーク装置が、端末のアクセスレイヤを使用することにより、端末のプロトコルスタック上位レイヤにサービスリスト及びオーバーライド識別子を一緒に送信するか、又は、サービスリストが、出荷の前に端末に対して事前設定されるか、又は、ネットワークが、ＮＡＳメッセージ若しくはＯＭＡメッセージを使用することにより、端末に対してサービスリストを設定する。
【０１５６】
ステップ１００９〜１０１２ａは、実施例９におけるステップ９０９〜９１２ａと同様であり、ここでは詳細に説明されない。
【０１５７】
この実施例では、端末のアクセスレイヤは、無線アクセスネットワーク装置により送信されるオーバーライド識別子を記憶し、もし開始されたサービスがＡＣＤＣチェックにパスすることを判定するならば、端末のプロトコルスタック上位レイヤは、端末のアクセスレイヤが記憶されたカバレージ識別子に従ってオーバーライド識別子がＡＣＢチェックをオーバーライドしているかどうかを確認することを誘発するために、端末のアクセスレイヤにＲＲＣ確立要求を送信し、もしオーバーライド識別子がＡＣＢチェックをオーバーライドしているならば、ＡＣＢチェックは実行される必要がない。したがって、いくつかの特別な場合において、たとえ端末がＡＣＢチェックにパスすることができないとしても、端末は、まだいくつかの特定のアプリケーションのサービス（例えば、災害情報掲示板サービス）を実行することができる。
【０１５８】
図１１は、本発明の別の実施例によるアクセス制御方法のフローチャートである。この実施例は下記を含む。
【０１５９】
ステップ１１０１：端末のアクセスレイヤが、ＡＣＤＣチェック開始通知を送信する。
【０１６０】
ステップ１１０２：端末により開始されたサービスがＡＣＤＣチェックにパスしたあとで、端末のアクセスレイヤが、ＲＲＣ確立要求を受信し、ここで、ＲＲＣ確立要求はＡＣＤＣチェックにパスするサービスのアプリケーション識別子に対応するオーバーライド識別子を有する。
【０１６１】
ステップ１１０３ａ：もしオーバーライド識別子がＡＣＢチェックをオーバーライドしていることを判定するならば、端末のアクセスレイヤが、ＲＲＣ接続を確立する。
【０１６２】
ステップ１１０３ｂ：もしオーバーライド識別子がＡＣＢチェックをオーバーライドしていないことを判定するならば、端末のアクセスレイヤが、ＡＣＢチェックを開始し、ＡＣＢチェックがパスされたあとでＲＲＣ接続を確立する。
【０１６３】
この実施例では、端末により開始されたサービスがＡＣＤＣチェックにパスしたあとで、端末のアクセスレイヤが、ＲＲＣ確立要求を受信し、ここで、ＲＲＣ確立要求はＡＣＤＣチェックにパスするサービスのアプリケーション識別子に対応するオーバーライド識別子を伝送し、もしオーバーライド識別子がＡＣＢチェックをオーバーライドしていることを判定するならば、端末のアクセスレイヤは、ＲＲＣ接続を確立する。したがって、いくつかの特別な場合において、たとえ端末がＡＣＢチェックにパスすることができないとしても、端末は、まだいくつかの特定のアプリケーションのサービス（例えば、災害情報掲示板サービス）を実行することができる。
【０１６４】
さらに、端末のアクセスレイヤにより、ＡＣＤＣチェック開始通知を送信するステップの前に、方法は、端末のアクセスレイヤにより、無線アクセスネットワーク装置により送信されるＡＣＤＣチェック開始通知、サービスリスト、及びオーバーライド識別子を受信するステップか、又は、端末のアクセスレイヤにより、無線アクセスネットワーク装置により送信されるＡＣＤＣチェック開始通知、及びオーバーライド識別子を受信するステップを更に含む。
【０１６５】
図１２は、本発明の別の実施例によるアクセス制御方法のフローチャートである。この実施例は下記を含む。
【０１６６】
ステップ１２０１：端末のアクセスレイヤがＡＣＤＣチェック開始通知を受信する。
【０１６７】
ステップ１２０２：端末のアクセスレイヤがＲＲＣ確立要求メッセージを受信する。
【０１６８】
ステップ１２０３ａ：もしＲＲＣ確立要求メッセージがＡＣＢチェックを実行しない指示を伝送するならば、端末のアクセスレイヤがＲＲＣ接続を確立する。
【０１６９】
ステップ１２０３ｂ：もしＲＲＣ確立要求メッセージがＡＣＢチェックを実行する指示を伝送するならば、端末のアクセスレイヤが、ＡＣＢチェックを実行し、ＡＣＢチェックがパスされたあとでＲＲＣ接続を確立する。
【０１７０】
この実施例では、端末のアクセスレイヤは、ＲＲＣ確立要求メッセージを受信し、もしＲＲＣ確立要求メッセージがＡＣＢチェックを実行しない指示を伝送するならば、端末のアクセスレイヤはＲＲＣ接続を確立する。したがって、いくつかの特別な場合において、たとえ端末がＡＣＢチェックにパスすることができないとしても、端末は、まだいくつかの特定のアプリケーションのサービス（例えば、災害情報掲示板サービス）を実行することができる。
【０１７１】
本発明の別の実施例により提供されるアクセス制御方法は、前述の実施例と同様である。差異は、前述の実施例では、端末がネットワーク側からオーバーライド識別子を獲得し、一方、この実施例では、端末のプロトコルスタック上位レイヤが、局所的に設定されるカバレージ識別子を獲得することができ、ここで、局所的に設定されるカバレージ識別子は、端末の出荷の前にプリセットされるオーバーライド識別子であり得る、ということである。
【０１７２】
本発明の別の実施例により提供されるアクセス制御方法は、前述の実施例と同様である。差異は、前述の実施例では、無線アクセスネットワーク装置は、システム同報メッセージを使用することにより、端末にＡＣＤＣチェックを開始するように通知し、一方、この実施例では、接続状態にある端末に対して、無線アクセスネットワーク装置は、専用シグナリングを使用することにより、ＡＣＤＣチェック開始通知を同様に送信することができる、ということである。
【０１７３】
本発明の別の実施例により提供されるアクセス制御方法は、前述の実施例と同様である。差異は、前述の実施例では、コアネットワーク装置が輻輳していると判定したあとで、コアネットワーク装置が、無線アクセスネットワーク装置にコアネットワーク装置の輻輳状態を通知するとともに、無線アクセスネットワーク装置がＡＣＤＣチェックを開始し、一方、この実施例では、１つの場合は、無線アクセスネットワーク装置が輻輳する場合にＡＣＤＣチェックが開始されることができる、ということであり、もう１つの場合は、コアネットワーク装置と無線アクセスネットワーク装置の両方が輻輳する場合に無線アクセスネットワーク装置がＡＣＤＣチェックを開始する、ということである。
【０１７４】
図１３は、本発明による端末の一実施例の概略構造図である。端末は、プロトコルスタック上位レイヤにより、オーバーライド識別子を獲得するように構成される獲得モジュール１３０１と、プロトコルスタック上位レイヤにより、端末により開始されたサービスに従ってアプリケーション・スペシフィック・コンジェスチョン・コントロール・フォー・データ・コネクティビティＡＣＤＣチェックを開始するように構成される処理モジュール１３０２と、プロトコルスタック上位レイヤにより、端末により開始されたサービスがＡＣＤＣチェックにパスすることができることを確認するとともに、ＡＣＤＣチェックにパスするサービスのアプリケーション識別子に対応するとともに獲得モジュールにより獲得されるオーバーライド識別子がアクセス・クラス・バーリングＡＣＢチェックをオーバーライドしていることを判定するように構成される判定モジュール１３０３と、オーバーライド識別子がアクセス・クラス・バーリングＡＣＢチェックをオーバーライドしていることを判定モジュール１３０３が判定したあとで、プロトコルスタック上位レイヤにより、端末のアクセスレイヤにＲＲＣ確立要求メッセージを送信するように構成される送信モジュール１３０４であって、要求メッセージがＡＣＢチェックを実行しない指示を伝送する、送信モジュール１３０４とを含み、判定モジュール１３０３は、プロトコルスタック上位レイヤにより、端末により開始されたサービスがＡＣＤＣチェックにパスすることができることを確認するとともに、ＡＣＤＣチェックにパスするサービスのアプリケーション識別子に対応するとともに獲得モジュールにより獲得されるオーバーライド識別子がＡＣＢチェックをオーバーライドしていないことを判定するように構成され、送信モジュール１３０４は、オーバーライド識別子がＡＣＢチェックをオーバーライドしていないことを判定モジュール１３０３が判定したあとで、アクセスレイヤがＡＣＢチェックを確認したあとでＲＲＣ接続を確立するように、プロトコルスタック上位レイヤにより、端末のアクセスレイヤにＲＲＣ確立要求メッセージを送信するように構成される。
【０１７５】
獲得モジュールは、具体的に、プロトコルスタック上位レイヤにより、コアネットワーク装置により送信されるオーバーライド識別子を受信するか、又は、プロトコルスタック上位レイヤにより、コアネットワーク装置により送信されるとともにオーバーライド識別子を伝送するサービスリストを受信するか、又は、プロトコルスタック上位レイヤにより、端末のアクセスレイヤにより送信されるとともにオーバーライド識別子を伝送するサービスリストを受信するか、又は、プロトコルスタック上位レイヤにより、端末のアクセスレイヤを使用することによって無線アクセスネットワーク装置により送信されるオーバーライド識別子を受信するか、又は、プロトコルスタック上位レイヤにより、局所的に設定されるカバレージ識別子を獲得するか、又は、プロトコルスタック上位レイヤにより、局所的に設定されるとともにオーバーライド識別子を伝送するサービスリストを獲得するように構成され得る。
【０１７６】
任意に、端末は、プロトコルスタック上位レイヤにより、ＡＣＤＣチェックにパスするサービスのアプリケーション識別子に対応するとともに獲得モジュールにより獲得されるオーバーライド識別子に従ってＡＣＢチェックが実行される必要があるかどうかを判定するように構成される判断モジュール１３０５を更に含み得る。
【０１７７】
任意に、端末は、受信モジュール１３０６であって、プロトコルスタック上位レイヤにより、端末のアクセスレイヤにより送信されるシステム同報メッセージを受信するとともに、端末のプロトコルスタック上位レイヤにＡＣＤＣチェックを開始することを通知するように構成され、無線アクセスネットワーク装置が、無線アクセスネットワーク装置及び／又はコアネットワーク装置が輻輳していることを知り、ＡＣＤＣチェックを開始したあとで、システム同報メッセージが、無線アクセスネットワーク装置により送信されるか、又は、プロトコルスタック上位レイヤにより、端末のアクセスレイヤにより送信される専用シグナリングを受信するとともに、端末のプロトコルスタック上位レイヤにＡＣＤＣチェックを開始することを通知するように構成され、無線アクセスネットワーク装置が、無線アクセスネットワーク装置及び／又はコアネットワーク装置が輻輳していることを知り、ＡＣＤＣを開始したあとで、専用シグナリングが、無線アクセスネットワーク装置により送信される、受信モジュール１３０６を更に含み得る。
【０１７８】
端末のプロトコルスタック上位レイヤは、コアネットワークにより送信されるオーバーライド識別子を受信し、もし端末のプロトコルスタック上位レイヤが、端末により開始されたサービスがＡＣＤＣチェックにパスすることができることを確認するとともに、ＡＣＤＣチェックにパスするサービスのアプリケーション識別子に対応するオーバーライド識別子がアクセス・クラス・バーリングＡＣＢチェックをオーバーライドしていることを判定するならば、端末のプロトコルスタック上位レイヤは、端末のアクセスレイヤにＲＲＣ確立要求メッセージを送信し、ここで、要求メッセージはＡＣＢチェックを実行しない指示を伝送し、したがって、ＡＣＢチェックは実行される必要がない。したがって、いくつかの特別な場合において、たとえ端末がＡＣＢチェックにパスすることができないとしても、端末は、まだいくつかの特定のアプリケーションのサービス（例えば、災害情報掲示板サービス）を実行することができる。
【０１７９】
ハードウェア実装の間に、前述のモジュールは、ハードウェアの形式で、基地局のプロセッサに組み込まれることができるか、若しくは基地局のプロセッサから独立して存在することができるか、又は、前述のモジュールに対応する動作を実行するためにプロセッサにより呼び出されるように、ソフトウェアの形式で、端末内に、例えばＵＥのメモリ内に記憶されることができる。プロセッサは、中央演算処理装置（ＣＰＵ）、マイクロプロセッサ、シングルチップマイクロコンピュータなどであり得る。図１３において示された端末は、前述の実施例における対応するステップを実行することができる。詳細については、前述の実施例の説明に対して参照が行われる。達成された効果については、前述の実施例の説明に対して参照が同様に行われる。
【０１８０】
図１４は、本発明による端末の別の実施例の概略構造図である。端末は、アクセスレイヤにより、無線アクセスネットワーク装置により送信されるオーバーライド識別子を記憶するように構成される記憶モジュール１４０１と、アクセスレイヤにより、ＡＣＤＣチェック開始通知を送信するように構成される送信モジュール１４０２と、端末により開始されたサービスがＡＣＤＣチェックにパスしたあとで、アクセスレイヤにより、ＲＲＣ確立要求を受信するように構成される受信モジュール１４０３と、アクセスレイヤが、記憶モジュールにより記憶されるオーバーライド識別子がＡＣＢチェックをオーバーライドしていることを判定したあとで、ＲＲＣ接続を確立するように構成されるか、又は、アクセスレイヤが、記憶モジュールにより記憶されるオーバーライド識別子がＡＣＢチェックをオーバーライドしていないことを判定したあとで、ＡＣＢチェックを開始し、ＡＣＢチェックがパスされたあとでＲＲＣ接続を確立するように構成される処理モジュール１４０４とを含む。
【０１８１】
任意に、受信モジュールは、アクセスレイヤにより、無線アクセスネットワーク装置により送信されるＡＣＤＣチェック開始通知、サービスリスト、及びオーバーライド識別子を受信するか、又は、アクセスレイヤにより、無線アクセスネットワーク装置により送信されるＡＣＤＣチェック開始通知、及びオーバーライド識別子を受信するように、更に構成され得る。
【０１８２】
ハードウェア実装の間に、前述のモジュールは、ハードウェアの形式で、基地局のプロセッサに組み込まれることができるか、若しくは基地局のプロセッサから独立して存在することができるか、又は、前述のモジュールに対応する動作を実行するためにプロセッサにより呼び出されるように、ソフトウェアの形式で、端末内に、例えばＵＥのメモリ内に記憶されることができる。プロセッサは、中央演算処理装置（ＣＰＵ）、マイクロプロセッサ、シングルチップマイクロコンピュータなどであり得る。図１４において示された端末は、前述の実施例における対応するステップを実行することができる。詳細については、前述の実施例の説明に対して参照が行われる。達成された効果については、前述の実施例の説明に対して参照が同様に行われる。
【０１８３】
本発明のこの実施例では、記憶モジュールが無線アクセスネットワーク装置により送信されるオーバーライド識別子を記憶し、処理モジュールは、アクセスレイヤが、記憶モジュールにより記憶されるオーバーライド識別子がＡＣＢチェックをオーバーライドしていることを判定したあとで、ＲＲＣ接続を確立するか、又は、アクセスレイヤが、記憶モジュールにより記憶されるオーバーライド識別子がＡＣＢチェックをオーバーライドしていないことを判定したあとで、ＡＣＢチェックを開始し、ＡＣＢチェックがパスされたあとでＲＲＣ接続を確立する。したがって、いくつかの特別な場合において、たとえ端末がＡＣＢチェックにパスすることができないとしても、端末は、まだいくつかの特定のアプリケーションのサービス（例えば、災害情報掲示板サービス）を実行することができる。
【０１８４】
図１５は、本発明の別の実施例による端末である。端末は、アクセスレイヤにより、ＡＣＤＣチェック開始通知を送信するように構成される送信モジュール１５０１と、開始されたサービスがＡＣＤＣチェックにパスしたあとで、アクセスレイヤにより、ＲＲＣ確立要求を受信するように構成される受信モジュール１５０２であって、ＲＲＣ確立要求が、ＡＣＤＣチェックにパスするサービスのアプリケーション識別子に対応するオーバーライド識別子を伝送する、受信モジュール１５０２と、アクセスレイヤが、受信モジュールにより受信されるオーバーライド識別子がＡＣＢチェックをオーバーライドしていることを判定したあとで、ＲＲＣ接続を確立するように構成されるか、又は、アクセスレイヤが、受信モジュールにより受信されるオーバーライド識別子がＡＣＢチェックをオーバーライドしていないことを判定したあとで、ＡＣＢチェックを開始し、ＡＣＢチェックがパスされたあとでＲＲＣ接続を確立するように構成される処理モジュール１５０３とを含む。
【０１８５】
任意に、受信モジュールは、アクセスレイヤにより、無線アクセスネットワーク装置により送信されるＡＣＤＣチェック開始通知、サービスリスト、及びオーバーライド識別子を受信するか、又は、アクセスレイヤにより、無線アクセスネットワーク装置により送信されるＡＣＤＣチェック開始通知、及びオーバーライド識別子を受信するように、更に構成される。
【０１８６】
本発明のこの実施例では、開始されたサービスがＡＣＤＣチェックにパスしたあとで、受信モジュールがＲＲＣ確立要求を受信し、ここで、ＲＲＣ確立要求は、ＡＣＤＣチェックにパスするサービスのアプリケーション識別子に対応するオーバーライド識別子を伝送し、もし受信モジュールにより受信されるオーバーライド識別子がＡＣＢチェックをオーバーライドしていると判定するならば、処理モジュールはＲＲＣ接続を確立する。したがって、いくつかの特別な場合において、たとえ端末がＡＣＢチェックにパスすることができないとしても、端末は、まだいくつかの特定のアプリケーションのサービス（例えば、災害情報掲示板サービス）を実行することができる。
【０１８７】
ハードウェア実装の間に、前述のモジュールは、ハードウェアの形式で、基地局のプロセッサに組み込まれることができるか、若しくは基地局のプロセッサから独立して存在することができるか、又は、前述のモジュールに対応する動作を実行するためにプロセッサにより呼び出されるように、ソフトウェアの形式で、端末内に、例えばＵＥのメモリ内に記憶されることができる。プロセッサは、中央演算処理装置（ＣＰＵ）、マイクロプロセッサ、シングルチップマイクロコンピュータなどであり得る。図１５において示された端末は、前述の実施例における対応するステップを実行することができる。詳細については、前述の実施例の説明に対して参照が行われる。達成された効果については、前述の実施例の説明に対して参照が同様に行われる。
【０１８８】
図１６は、本発明の別の実施例による端末である。端末は、アクセスレイヤにより、ＡＣＤＣチェック開始通知を受信するように構成される受信モジュール１６０１であって、アクセスレイヤにより、ＲＲＣ確立要求メッセージを受信するように構成される、受信モジュール１６０１と、もし受信モジュールにより受信されるＲＲＣ確立要求メッセージがＡＣＢチェックを実行しない指示を伝送するならば、端末のアクセスレイヤにより、ＲＲＣ接続を確立するように構成されるか、又は、もし受信モジュールにより受信されるＲＲＣ確立要求メッセージがＡＣＢチェックを実行する指示を伝送するならば、端末のアクセスレイヤにより、ＡＣＢチェックを実行し、ＡＣＢチェックがパスされたあとでＲＲＣ接続を確立するように構成される処理モジュール１６０２とを含む。
【０１８９】
本発明のこの実施例では、開始されたサービスがＡＣＤＣチェックにパスしたあとで、アクセスレイヤにより受信されるＲＲＣ確立要求メッセージがＡＣＢチェックを実行しない指示を伝送し、そして端末のアクセスレイヤがＲＲＣ接続を確立する。したがって、いくつかの特別な場合において、たとえ端末がＡＣＢチェックにパスすることができないとしても、端末は、まだいくつかの特定のアプリケーションのサービス（例えば、災害情報掲示板サービス）を実行することができる。
【０１９０】
図１７は、本発明の別の実施例による端末である。端末は、プロトコルスタック上位レイヤにより、オーバーライド識別子を獲得するように構成されるプロセッサ１７０１であって、プロトコルスタック上位レイヤにより、端末により開始されたサービスに従ってアプリケーション・スペシフィック・コンジェスチョン・コントロール・フォー・データ・コネクティビティＡＣＤＣチェックを開始するように構成され、プロトコルスタック上位レイヤにより、端末により開始されたサービスがＡＣＤＣチェックにパスすることができることを確認するとともに、ＡＣＤＣチェックにパスするサービスのアプリケーション識別子に対応する獲得されたカバレージ識別子がアクセス・クラス・バーリングＡＣＢチェックをオーバーライドしていることを判定するように構成されるプロセッサ１７０１と、オーバーライド識別子がアクセス・クラス・バーリングＡＣＢチェックをオーバーライドしていることをプロセッサが判定したあとで、プロトコルスタック上位レイヤにより、端末のアクセスレイヤにＲＲＣ確立要求メッセージを送信するように構成される送信機１７０２であって、要求メッセージがＡＣＢチェックを実行しない指示を伝送する、送信機１７０２とを含み、プロセッサ１７０１は、プロトコルスタック上位レイヤにより、端末により開始されたサービスがＡＣＤＣチェックにパスすることができることを確認するとともに、ＡＣＤＣチェックにパスするサービスのアプリケーション識別子に対応する獲得されたカバレージ識別子がＡＣＢチェックをオーバーライドしていないことを判定するように構成され、送信機１７０２は、オーバーライド識別子がＡＣＢチェックをオーバーライドしていないことをプロセッサが判定したあとで、アクセスレイヤがＡＣＢチェックを確認したあとでＲＲＣ接続を確立するように、プロトコルスタック上位レイヤにより、端末のアクセスレイヤにＲＲＣ確立要求メッセージを送信するように構成される。
【０１９１】
本発明のこの実施例では、プロトコルスタック上位レイヤが、獲得されたカバレージ識別子に従って、端末により開始されたサービスがＡＣＤＣチェックにパスすることができることを確認するとともに、ＡＣＤＣチェックにパスするサービスのアプリケーション識別子に対応するとともに獲得モジュールにより獲得されるオーバーライド識別子がアクセス・クラス・バーリングＡＣＢチェックをオーバーライドしていることを判定する。したがって、いくつかの特別な場合において、たとえ端末がＡＣＢチェックにパスすることができないとしても、端末は、まだいくつかの特定のアプリケーションのサービス（例えば、災害情報掲示板サービス）を実行することができる。
【０１９２】
プロセッサは、具体的に、プロトコルスタック上位レイヤにより、コアネットワーク装置により送信されるオーバーライド識別子を受信するか、又は、プロトコルスタック上位レイヤにより、コアネットワーク装置により送信されるとともにオーバーライド識別子を伝送するサービスリストを受信するか、又は、プロトコルスタック上位レイヤにより、端末のアクセスレイヤにより送信されるとともにオーバーライド識別子を伝送するサービスリストを受信するか、又は、プロトコルスタック上位レイヤにより、端末のアクセスレイヤを使用することによって無線アクセスネットワーク装置により送信されるオーバーライド識別子を受信するか、又は、プロトコルスタック上位レイヤにより、局所的に設定されるカバレージ識別子を獲得するか、又は、プロトコルスタック上位レイヤにより、局所的に設定されるとともにオーバーライド識別子を伝送するサービスリストを獲得するように構成される。
【０１９３】
さらに、プロセッサは、プロトコルスタック上位レイヤにより、ＡＣＤＣチェックにパスするサービスのアプリケーション識別子に対応する獲得されたカバレージ識別子に従ってＡＣＢチェックが実行される必要があるかどうかを判定するように更に構成される。
【０１９４】
さらに、端末は、受信機であって、プロトコルスタック上位レイヤにより、端末のアクセスレイヤにより送信されるシステム同報メッセージを受信するとともに、端末のプロトコルスタック上位レイヤにＡＣＤＣチェックを開始することを通知するように構成され、無線アクセスネットワーク装置が、無線アクセスネットワーク装置及び／又はコアネットワーク装置が輻輳していることを知り、ＡＣＤＣチェックを開始したあとで、システム同報メッセージが、無線アクセスネットワーク装置により送信されるか、又は、プロトコルスタック上位レイヤにより、端末のアクセスレイヤにより送信される専用シグナリングを受信するとともに、端末のプロトコルスタック上位レイヤにＡＣＤＣチェックを開始することを通知するように構成され、無線アクセスネットワーク装置が、無線アクセスネットワーク装置及び／又はコアネットワーク装置が輻輳していることを知り、ＡＣＤＣを開始したあとで、専用シグナリングが、無線アクセスネットワーク装置により送信される、受信機を更に含む。
【０１９５】
図１８は、本発明の別の実施例による端末である。端末は、アクセスレイヤにより、無線アクセスネットワーク装置により送信されるオーバーライド識別子を記憶するように構成されるメモリ１８０１と、アクセスレイヤにより、ＡＣＤＣチェック開始通知を送信するように構成される送信機１８０２と、端末により開始されたサービスがＡＣＤＣチェックにパスしたあとで、アクセスレイヤにより、ＲＲＣ確立要求を受信するように構成される受信機１８０３と、アクセスレイヤが、メモリにより記憶されるオーバーライド識別子がＡＣＢチェックをオーバーライドしていることを判定したあとで、ＲＲＣ接続を確立するように構成されるか、又は、アクセスレイヤが、メモリにより記憶されるオーバーライド識別子がＡＣＢチェックをオーバーライドしていないことを判定したあとで、ＡＣＢチェックを開始し、ＡＣＢチェックがパスされたあとでＲＲＣ接続を確立するように構成されるプロセッサ１８０４とを含む。
【０１９６】
本発明のこの実施例では、アクセスレイヤが無線アクセスネットワーク装置により送信されるオーバーライド識別子を記憶し、端末により開始されたサービスがＡＣＤＣチェックにパスしたあとで、アクセスレイヤがＲＲＣ確立要求を受信し、それは、アクセスレイヤが、記憶モジュールにより記憶されるオーバーライド識別子がＡＣＢチェックをオーバーライドしていることを判定したあとで、ＲＲＣ接続を確立するために使用される。したがって、いくつかの特別な場合において、たとえ端末がＡＣＢチェックにパスすることができないとしても、端末は、まだいくつかの特定のアプリケーションのサービス（例えば、災害情報掲示板サービス）を実行することができる。
【０１９７】
さらに、受信機は、アクセスレイヤにより、無線アクセスネットワーク装置により送信されるＡＣＤＣチェック開始通知、サービスリスト、及びオーバーライド識別子を受信するか、又は、アクセスレイヤにより、無線アクセスネットワーク装置により送信されるＡＣＤＣチェック開始通知、及びオーバーライド識別子を受信するように、更に構成される。
【０１９８】
図１９は、本発明の別の実施例による端末である。端末は、アクセスレイヤにより、ＡＣＤＣチェック開始通知を送信するように構成される送信機１９０１と、開始されたサービスがＡＣＤＣチェックにパスしたあとで、アクセスレイヤにより、ＲＲＣ確立要求を受信するように構成される受信機１９０２であって、ＲＲＣ確立要求が、ＡＣＤＣチェックにパスするサービスのアプリケーション識別子に対応するオーバーライド識別子を伝送する、受信機１９０２と、アクセスレイヤが、受信機により受信されるオーバーライド識別子がＡＣＢチェックをオーバーライドしていることを判定したあとで、ＲＲＣ接続を確立するように構成されるか、又は、アクセスレイヤが、受信機により受信されるオーバーライド識別子がＡＣＢチェックをオーバーライドしていないことを判定したあとで、ＡＣＢチェックを開始し、ＡＣＢチェックがパスされたあとでＲＲＣ接続を確立するように構成されるプロセッサ１９０３とを含む。
【０１９９】
本発明のこの実施例では、開始されたサービスがＡＣＤＣチェックにパスしたあとで、アクセスレイヤがＲＲＣ確立要求を受信し、ここで、ＲＲＣ確立要求は、ＡＣＤＣチェックにパスするサービスのアプリケーション識別子に対応するオーバーライド識別子を伝送する。したがって、いくつかの特別な場合において、たとえ端末がＡＣＢチェックにパスすることができないとしても、端末は、まだいくつかの特定のアプリケーションのサービス（例えば、災害情報掲示板サービス）を実行することができる。
【０２００】
さらに、受信機は、アクセスレイヤにより、無線アクセスネットワーク装置により送信されるＡＣＤＣチェック開始通知、サービスリスト、及びオーバーライド識別子を受信するか、又は、アクセスレイヤにより、無線アクセスネットワーク装置により送信されるＡＣＤＣチェック開始通知、及びオーバーライド識別子を受信するように、更に構成される。
【０２０１】
図２０は、本発明の別の実施例による端末である。端末は、アクセスレイヤにより、ＡＣＤＣチェック開始通知を受信するように構成される受信機２００１であって、アクセスレイヤにより、ＲＲＣ確立要求メッセージを受信するように構成される、受信機２００１と、もし受信機により受信されるＲＲＣ確立要求メッセージがＡＣＢチェックを実行しない指示を伝送するならば、端末のアクセスレイヤにより、ＲＲＣ接続を確立するように構成されるか、又は、もし受信機により受信されるＲＲＣ確立要求メッセージがＡＣＢチェックを実行する指示を伝送するならば、端末のアクセスレイヤにより、ＡＣＢチェックを実行し、ＡＣＢチェックがパスされたあとでＲＲＣ接続を確立するように構成される処理モジュール２００２とを含む。
【０２０２】
本発明のこの実施例では、開始されたサービスがＡＣＤＣチェックにパスしたあとで、アクセスレイヤにより受信されるＲＲＣ確立要求メッセージがＡＣＢチェックを実行しない指示を伝送し、そして端末のアクセスレイヤがＲＲＣ接続を確立する。したがって、いくつかの特別な場合において、たとえ端末がＡＣＢチェックにパスすることができないとしても、端末は、まだいくつかの特定のアプリケーションのサービス（例えば、災害情報掲示板サービス）を実行することができる。
【０２０３】
図１７から図２０において示された端末は、前述の方法の実施例において端末に提供された方法を別々に実施し得る、という点に注意する必要がある。詳細については、前述の実施例の説明に対して参照が行われる。達成された効果については、前述の実施例の説明に対して参照が同様に行われる。
【０２０４】
都合が良くそして簡潔な記述のために、前述の機能モジュールの分割は例示のための一例とみなされる、ということが当業者によって明らかに理解され得る。実際のアプリケーションにおいて、前述の機能は異なる機能モジュールに割り当てられることができるとともに、必要条件に従って実施されることができ、すなわち、装置の内部構造は、上述の機能の全部又は一部を実施するために、異なる機能モジュールに分割される。前述のシステム、装置、及びユニットの詳細な作業処理については、前述の方法の実施例の対応する処理に対して参照が行われるとともに、詳細は再度ここでは説明されない。
【０２０５】
本願において提供されるいくらかの実施例では、開示されたシステム、装置、及び方法は他の様式で実施され得る、ということが理解されるべきである。例えば、説明された装置の実施例は、単に代表的である。例えば、モジュール又はユニットの分割は、単に論理的な機能の分割であるとともに、実際の実装例では他の分割であるかもしれない。例えば、複数のユニット又はコンポーネントは、別のシステムに結合され得るか若しくは統合され得るか、又は、いくつかの特徴は、無視され得るか若しくは実行されないかもしれない。さらに、表示されたか若しくは論じられた相互の結合又は直接的な結合又は通信接続は、いくつかインタフェースを使用することにより実施され得る。装置又はユニットの間の間接的な結合又は通信接続は、電子的方式、機械的方式、又は他の方式において実施され得る。
【０２０６】
別個の部品として説明されるユニットは、物理的に分離しているかもしれないし、又は物理的に分離していないかもしれないとともに、ユニットとして表示される部品は、物理的なユニットであるかもしれないし、又は物理的なユニットでないかもしれず、１つの位置に位置付けられるかもしれないし、又は複数のネットワークユニットに対して分散されるかもしれない。いくつか又は全てのユニットは、実施例の解決法の目的を達成するために、実際のニーズに従って選択され得る。
【０２０７】
さらに、本願の実施例における機能ユニットは１つの演算処理装置に統合され得るか、又は、それぞれのユニットは物理的に単独で存在し得るか、又は、２つ以上のユニットは１つのユニットに統合される。統合されたユニットは、ハードウェアの形式で実施され得るか、又は、ソフトウェア機能ユニットの形式で実施され得る。
【０２０８】
統合されたユニットがソフトウェア機能ユニットの形式で実施されるとともに、独立した製品として販売されるか又は使用される場合に、統合されたユニットは、コンピュータ読み取り可能な記憶媒体に記憶され得る。そのような理解に基づくと、本願の技術的解決法は本質的に、又は、従来技術に貢献する部分は、又は、技術的解決法の全部又は一部は、ソフトウェア製品の形式で実施され得る。ソフトウェア製品は、記憶媒体に記憶されるとともに、コンピュータ装置（それはパーソナルコンピュータ、サーバ、若しくはネットワーク装置であり得る）又はプロセッサ（processor）に、本願の実施例において説明された方法のステップの全部又は一部を実行するように指示するためのいくらかの命令を含む。前述の記憶媒体は、ＵＳＢフラッシュドライブ、リムーバブルハードディスク、読出し専用メモリ（ＲＯＭ、Read-Only  Memory）、ランダムアクセスメモリ（ＲＡＭ、Random  Access  Memory）、磁気ディスク、又は光ディスクのような、プログラムコードを記憶することができるあらゆる媒体を含む。
【０２０９】
前述の実施例は、本願の技術的解決法を説明するために単に意図されているに過ぎず、本願を限定するために意図されていない。前述の実施例に関連して本願が詳細に説明されたが、当業者は、本願の実施例の技術的解決法の範囲から逸脱することなく、前述の実施例において説明された技術的解決法にさらに修正を行い得るか、又は、それらのいくつかの技術的特徴に等価な置換を行い得る、ということを理解すべきである。
【図１】
2016521080.tif 000005
【図２】
2016521080.tif 000006
【図３】
2016521080.tif 000007
【図４】
2016521080.tif 000008
【図５】
2016521080.tif 000009
【図６】
2016521080.tif 000010
【図７】
2016521080.tif 000011
【図８】
2016521080.tif 000012
【図９】
2016521080.tif 000013
【図１０】
2016521080.tif 000014
【図１１】
2016521080.tif 000015
【図１２】
2016521080.tif 000016
【図１３】
2016521080.tif 000017
【図１４】
2016521080.tif 000018
【図１５】
2016521080.tif 000019
【図１６】
2016521080.tif 000020
【図１７】
2016521080.tif 000021
【図１８】
2016521080.tif 000022
【図１９】
2016521080.tif 000023
【図２０】
2016521080.tif 000024
【手続補正書】
【提出日】平成27年12月24日(2015.12.24)
【手続補正１】
【補正対象書類名】特許請求の範囲
【補正対象項目名】全文
【補正方法】変更
【補正の内容】
【特許請求の範囲】
【請求項１】
アクセス制御方法であって、
端末のアクセスレイヤにより、無線アクセスネットワーク装置により送信されるオーバーライド識別子を記憶するステップと、
前記端末の前記アクセスレイヤにより、アプリケーション・スペシフィック・コンジェスチョン・コントロール・フォー・データ・コネクティビティ（ＡＣＤＣ）チェック開始通知を送信するステップと、
前記端末により開始されたサービスがＡＣＤＣチェックにパスしたあとで、前記端末の前記アクセスレイヤにより、ＲＲＣ確立要求を受信するステップと、
もし前記端末の前記アクセスレイヤが、前記の記憶されたオーバーライド識別子がＡＣＢチェックをオーバーライドしていることを判定するならば、無線リソース制御（ＲＲＣ）接続を確立するステップと、
もし前記端末の前記アクセスレイヤが、前記の記憶されたオーバーライド識別子がアクセス・クラス・バーリング（ＡＣＢ）チェックをオーバーライドしていないことを判定するならば、前記ＡＣＢチェックを開始し、前記ＡＣＢチェックがパスされたあとでＲＲＣ接続を確立するステップとを含む、方法。
【請求項２】
端末のアクセスレイヤにより、無線アクセスネットワーク装置により送信されるオーバーライド識別子を記憶する前記ステップの前に、当該方法が、
前記端末の前記アクセスレイヤにより、前記無線アクセスネットワーク装置により送信される前記ＡＣＤＣチェック開始通知、サービスリスト、及び前記オーバーライド識別子を受信するステップか、又は、
前記端末の前記アクセスレイヤにより、前記無線アクセスネットワーク装置により送信される前記ＡＣＤＣチェック開始通知、及び前記オーバーライド識別子を受信するステップを更に含む、請求項１に記載の方法。
【請求項３】
前記端末の前記アクセスレイヤにより、前記無線アクセスネットワーク装置により送信される前記ＡＣＤＣチェック開始通知、サービスリスト、及び前記オーバーライド識別子を受信する前記ステップが、
前記端末の前記アクセスレイヤにより、システム同報メッセージを受信するステップであって、前記ＡＣＤＣチェック開始通知、前記サービスリスト、及び前記オーバーライド識別子が前記システム同報メッセージにおいて伝送される、ステップを含む、請求項２に記載の方法。
【請求項４】
前記端末の前記アクセスレイヤにより、ＡＣＤＣチェック開始通知を送信する前記ステップが、
前記端末の前記アクセスレイヤにより、前記端末の上位レイヤにＡＣＤＣチェック開始通知を送信するステップを含む、請求項１から請求項３のいずれか一項に記載の方法。
【請求項５】
前記端末により開始されたサービスがＡＣＤＣチェックにパスしたあとで、前記端末の前記アクセスレイヤにより、ＲＲＣ確立要求を受信する前記ステップが、
前記端末により開始されたサービスがＡＣＤＣチェックにパスしたあとで、前記端末の前記アクセスレイヤにより、前記上位レイヤからＲＲＣ確立要求を受信するステップを含む、請求項４に記載の方法。
【請求項６】
前記上位レイヤが非アクセス層レイヤである、請求項４又は請求項５に記載の方法。
【請求項７】
前記端末がアイドル状態にある、請求項１から請求項６のいずれか一項に記載の方法。
【請求項８】
端末であって、
アクセスレイヤにより、無線アクセスネットワーク装置により送信されるオーバーライド識別子を記憶するように構成される記憶モジュールと、
前記アクセスレイヤにより、ＡＣＤＣチェック開始通知を送信するように構成される送信モジュールと、
当該端末により開始されたサービスがＡＣＤＣチェックにパスしたあとで、前記アクセスレイヤにより、ＲＲＣ確立要求を受信するように構成される受信モジュールと、
前記アクセスレイヤが、前記記憶モジュールにより記憶される前記オーバーライド識別子がＡＣＢチェックをオーバーライドしていることを判定したあとで、ＲＲＣ接続を確立するように構成されるか、又は、
前記アクセスレイヤが、前記記憶モジュールにより記憶される前記オーバーライド識別子がＡＣＢチェックをオーバーライドしていないことを判定したあとで、前記ＡＣＢチェックを開始し、前記ＡＣＢチェックがパスされたあとでＲＲＣ接続を確立するように構成される処理モジュールとを備える、端末。
【請求項９】
前記受信モジュールが、
前記アクセスレイヤにより、前記無線アクセスネットワーク装置により送信される前記ＡＣＤＣチェック開始通知、サービスリスト、及び前記オーバーライド識別子を受信するか、又は、
前記アクセスレイヤにより、前記無線アクセスネットワーク装置により送信される前記ＡＣＤＣチェック開始通知、及び前記オーバーライド識別子を受信するように、更に構成される、請求項８に記載の端末。
【請求項１０】
前記受信モジュールが、システム同報メッセージを受信するように構成され、前記ＡＣＤＣチェック開始通知、前記サービスリスト、及び前記オーバーライド識別子が前記システム同報メッセージにおいて伝送される、請求項９に記載の端末。
【請求項１１】
前記送信モジュールが、前記アクセスレイヤにより、当該端末の上位レイヤにＡＣＤＣチェック開始通知を送信するように構成される、請求項８から請求項１０のいずれか一項に記載の端末。
【請求項１２】
前記受信モジュールが、当該端末により開始されたサービスがＡＣＤＣチェックにパスしたあとで、前記アクセスレイヤにより、前記上位レイヤからＲＲＣ確立要求を受信するように構成される、請求項１１に記載の端末。
【請求項１３】
前記上位レイヤが非アクセス層レイヤである、請求項１１又は請求項１２に記載の端末。
【請求項１４】
当該端末がアイドル状態にある、請求項８から請求項１３のいずれか一項に記載の端末。
【請求項１５】
アクセス制御システムであって、
端末と、アクセスネットワーク装置とを備え、
前記端末が請求項８から請求項１４のいずれか一項に記載の端末であり、
前記アクセスネットワーク装置が、前記端末に前記オーバーライド識別子を送信するように構成される、アクセス制御システム。
【手続補正２】
【補正対象書類名】明細書
【補正対象項目名】０００６
【補正方法】変更
【補正の内容】
【０００６】
第１の態様によれば、アクセス制御方法は、端末のプロトコルスタック上位レイヤにより、オーバーライド識別子を獲得するステップと、前記端末の前記プロトコルスタック上位レイヤにより、前記端末により開始されたサービスに従ってアプリケーション・スペシフィック・コンジェスチョン・コントロール・フォー・データ・コネクティビティ（ＡＣＤＣ）チェックを開始するステップと、もし前記端末の前記プロトコルスタック上位レイヤが、前記端末により開始された前記サービスが前記ＡＣＤＣチェックにパスすることができることを確認するとともに、前記ＡＣＤＣチェックにパスする前記サービスのアプリケーション識別子に対応する前記オーバーライド識別子がアクセス・クラス・バーリング（ＡＣＢ）チェックをオーバーライドしていることを判定するならば、前記端末の前記プロトコルスタック上位レイヤにより、前記端末のアクセスレイヤにＲＲＣ確立要求メッセージを送信するステップであって、前記要求メッセージがＡＣＢチェックを実行しない指示を伝送する、ステップか、又は、もし前記端末の前記プロトコルスタック上位レイヤが、前記端末により開始された前記サービスが前記ＡＣＤＣチェックにパスすることができることを確認するとともに、前記ＡＣＤＣチェックにパスする前記サービスのアプリケーション識別子に対応する前記オーバーライド識別子がＡＣＢチェックをオーバーライドしていないことを判定するならば、前記端末の前記アクセスレイヤが前記ＡＣＢチェックを確認したあとでＲＲＣ接続を確立するように、前記端末の前記プロトコルスタック上位レイヤにより、前記端末のアクセスレイヤにＲＲＣ確立要求メッセージを送信するステップとを含む。
【手続補正３】
【補正対象書類名】明細書
【補正対象項目名】０００７
【補正方法】変更
【補正の内容】
【０００７】
第１の態様に関連して、第１の態様の第１の可能な実施方法において、端末のプロトコルスタック上位レイヤにより、オーバーライド識別子を獲得する前記ステップは、前記端末の前記プロトコルスタック上位レイヤにより、コアネットワーク装置により送信されるオーバーライド識別子を受信するステップか、又は、前記端末の前記プロトコルスタック上位レイヤにより、コアネットワーク装置により送信されるとともにオーバーライド識別子を伝送するサービスリストを受信するステップか、又は、前記端末の前記プロトコルスタック上位レイヤにより、前記端末の前記アクセスレイヤにより送信されるとともにオーバーライド識別子を伝送するサービスリストを受信するステップか、又は、前記端末の前記プロトコルスタック上位レイヤにより、前記端末の前記アクセスレイヤを使用することによって無線アクセスネットワーク装置により送信されるオーバーライド識別子を受信するステップか、又は、前記端末の前記プロトコルスタック上位レイヤにより、局所的に設定されるオーバーライド識別子を獲得するステップか、又は、前記端末の前記プロトコルスタック上位レイヤにより、局所的に設定されるとともにオーバーライド識別子を伝送するサービスリストを獲得するステップを含む。
【手続補正４】
【補正対象書類名】明細書
【補正対象項目名】０００９
【補正方法】変更
【補正の内容】
【０００９】
第１の態様の第１又は第２の可能な実施方法に関連して、第１の態様の第３の可能な実施方法において、前記端末の前記プロトコルスタック上位レイヤにより、前記端末により開始されたサービスに従って前記ＡＣＤＣチェックを開始する前記ステップの前に、当該方法は、もし前記端末がアイドル状態にあるならば、前記端末の前記プロトコルスタック上位レイヤにより、前記無線アクセスネットワーク装置により送信されるシステム同報メッセージを受信するとともに、前記端末の前記プロトコルスタック上位レイヤに前記ＡＣＤＣチェックを開始することを通知するステップであって、前記無線アクセスネットワーク装置が、前記無線アクセスネットワーク装置及び／又はコアネットワーク装置が輻輳していることを知り、前記ＡＣＤＣチェックを開始したあとで、前記システム同報メッセージが、前記無線アクセスネットワーク装置により送信される、ステップか、又は、もし前記端末が接続状態にあるならば、前記端末の前記プロトコルスタック上位レイヤにより、前記無線アクセスネットワーク装置により送信される専用シグナリングを受信するとともに、前記端末の前記プロトコルスタック上位レイヤに前記ＡＣＤＣチェックを開始することを通知するステップであって、前記無線アクセスネットワーク装置が、前記無線アクセスネットワーク装置及び／又はコアネットワーク装置が輻輳していることを知り、前記ＡＣＤＣチェックを開始したあとで、前記専用シグナリングが、前記無線アクセスネットワーク装置により送信される、ステップを更に含む。
【手続補正５】
【補正対象書類名】明細書
【補正対象項目名】００１０
【補正方法】変更
【補正の内容】
【００１０】
第２の態様によれば、アクセス制御方法であって、端末のアクセスレイヤにより、無線アクセスネットワーク装置により送信されるオーバーライド識別子を記憶するステップと、前記端末の前記アクセスレイヤにより、ＡＣＤＣチェック開始通知を送信するステップと、前記端末により開始されたサービスがＡＣＤＣチェックにパスしたあとで、前記端末の前記アクセスレイヤにより、ＲＲＣ確立要求を受信するステップと、もし前記端末の前記アクセスレイヤが、前記の記憶されたオーバーライド識別子がＡＣＢチェックをオーバーライドしていることを判定するならば、ＲＲＣ接続を確立するステップか、又は、もし前記端末の前記アクセスレイヤが、前記の記憶されたオーバーライド識別子がＡＣＢチェックをオーバーライドしていないことを判定するならば、前記ＡＣＢチェックを開始し、前記ＡＣＢチェックがパスされたあとでＲＲＣ接続を確立するステップとを含む、アクセス制御方法が提供される。
【手続補正６】
【補正対象書類名】明細書
【補正対象項目名】００１３
【補正方法】変更
【補正の内容】
【００１３】
第３の態様に関連して、第３の態様の第１の可能な実施方法において、端末のアクセスレイヤにより、ＡＣＤＣチェック開始通知を送信する前記ステップの前に、当該方法は、前記端末の前記アクセスレイヤにより、無線アクセスネットワーク装置により送信される前記ＡＣＤＣチェック開始通知、サービスリスト、及び前記オーバーライド識別子を受信するステップか、又は、前記端末の前記アクセスレイヤにより、無線アクセスネットワーク装置により送信される前記ＡＣＤＣチェック開始通知、及び前記オーバーライド識別子を受信するステップを更に含む。
【手続補正７】
【補正対象書類名】明細書
【補正対象項目名】００１５
【補正方法】変更
【補正の内容】
【００１５】
第５の態様によれば、端末であって、当該端末が、プロトコルスタック上位レイヤにより、オーバーライド識別子を獲得するように構成される獲得モジュールと、前記プロトコルスタック上位レイヤにより、当該端末により開始されたサービスに従ってアプリケーション・スペシフィック・コンジェスチョン・コントロール・フォー・データ・コネクティビティ（ＡＣＤＣ）チェックを開始するように構成される処理モジュールと、前記プロトコルスタック上位レイヤにより、当該端末により開始された前記サービスが前記ＡＣＤＣチェックにパスすることができることを確認するとともに、前記ＡＣＤＣチェックにパスする前記サービスのアプリケーション識別子に対応するとともに前記獲得モジュールにより獲得される前記オーバーライド識別子がアクセス・クラス・バーリング（ＡＣＢ）チェックをオーバーライドしていることを判定するように構成される判定モジュールと、前記オーバーライド識別子が前記アクセス・クラス・バーリング（ＡＣＢ）チェックをオーバーライドしていることを前記判定モジュールが判定したあとで、前記プロトコルスタック上位レイヤにより、当該端末のアクセスレイヤにＲＲＣ確立要求メッセージを送信するように構成される送信モジュールであって、前記要求メッセージがＡＣＢチェックを実行しない指示を伝送する、前記送信モジュールとを含み、前記判定モジュールが、前記プロトコルスタック上位レイヤにより、当該端末により開始された前記サービスが前記ＡＣＤＣチェックにパスすることができることを確認するとともに、前記ＡＣＤＣチェックにパスする前記サービスの前記アプリケーション識別子に対応するとともに前記獲得モジュールにより獲得される前記オーバーライド識別子が前記ＡＣＢチェックをオーバーライドしていないことを判定するように構成され、前記送信モジュールが、前記オーバーライド識別子が前記ＡＣＢチェックをオーバーライドしていないことを前記判定モジュールが判定したあとで、前記アクセスレイヤが前記ＡＣＢチェックを確認したあとでＲＲＣ接続を確立するように、前記プロトコルスタック上位レイヤにより、当該端末のアクセスレイヤにＲＲＣ確立要求メッセージを送信するように構成される、端末が提供される。
【手続補正８】
【補正対象書類名】明細書
【補正対象項目名】００１６
【補正方法】変更
【補正の内容】
【００１６】
第５の態様に関連して、第５の態様の第１の可能な実施方法において、前記獲得モジュールが、具体的に、前記プロトコルスタック上位レイヤにより、コアネットワーク装置により送信されるオーバーライド識別子を受信するか、又は、前記プロトコルスタック上位レイヤにより、コアネットワーク装置により送信されるとともにオーバーライド識別子を伝送するサービスリストを受信するか、又は、前記プロトコルスタック上位レイヤにより、当該端末の前記アクセスレイヤにより送信されるとともにオーバーライド識別子を伝送するサービスリストを受信するか、又は、前記プロトコルスタック上位レイヤにより、当該端末の前記アクセスレイヤを使用することによって無線アクセスネットワーク装置により送信されるオーバーライド識別子を受信するか、又は、前記プロトコルスタック上位レイヤにより、局所的に設定されるオーバーライド識別子を獲得するか、又は、前記プロトコルスタック上位レイヤにより、局所的に設定されるとともにオーバーライド識別子を伝送するサービスリストを獲得するように構成される。
【手続補正９】
【補正対象書類名】明細書
【補正対象項目名】００１８
【補正方法】変更
【補正の内容】
【００１８】
第５の態様の第１又は第２の可能な実施方法に関連して、第５の態様の第３の可能な実施方法において、当該端末は、受信モジュールであって、前記プロトコルスタック上位レイヤにより、前記無線アクセスネットワーク装置により送信されるシステム同報メッセージを受信するとともに、当該端末の前記プロトコルスタック上位レイヤに前記ＡＣＤＣチェックを開始することを通知するように構成され、前記無線アクセスネットワーク装置が、前記無線アクセスネットワーク装置及び／又はコアネットワーク装置が輻輳していることを知り、前記ＡＣＤＣチェックを開始したあとで、前記システム同報メッセージが、前記無線アクセスネットワーク装置により送信されるか、又は、前記プロトコルスタック上位レイヤにより、前記無線アクセスネットワーク装置により送信される専用シグナリングを受信するとともに、当該端末の前記プロトコルスタック上位レイヤに前記ＡＣＤＣチェックを開始することを通知するように構成され、前記無線アクセスネットワーク装置が、前記無線アクセスネットワーク装置及び／又はコアネットワーク装置が輻輳していることを知り、前記ＡＣＤＣチェックを開始したあとで、前記専用シグナリングが、前記無線アクセスネットワーク装置により送信される、前記受信モジュールを更に含む。
【手続補正１０】
【補正対象書類名】明細書
【補正対象項目名】００２０
【補正方法】変更
【補正の内容】
【００２０】
第７の態様によれば、端末は、プロトコルスタック上位レイヤにより、オーバーライド識別子を獲得するように構成されるプロセッサであって、前記プロトコルスタック上位レイヤにより、当該端末により開始されたサービスに従ってアプリケーション・スペシフィック・コンジェスチョン・コントロール・フォー・データ・コネクティビティ（ＡＣＤＣ）チェックを開始するように構成され、前記プロトコルスタック上位レイヤにより、当該端末により開始された前記サービスが前記ＡＣＤＣチェックにパスすることができることを確認するとともに、前記ＡＣＤＣチェックにパスする前記サービスのアプリケーション識別子に対応する前記の獲得されたオーバーライド識別子がアクセス・クラス・バーリング（ＡＣＢ）チェックをオーバーライドしていることを判定するように構成されるプロセッサと、前記オーバーライド識別子が前記アクセス・クラス・バーリング（ＡＣＢ）チェックをオーバーライドしていることを前記プロセッサが判定したあとで、前記プロトコルスタック上位レイヤにより、当該端末のアクセスレイヤにＲＲＣ確立要求メッセージを送信するように構成される送信機であって、前記要求メッセージがＡＣＢチェックを実行しない指示を伝送する、前記送信機とを含み、前記プロセッサは、前記プロトコルスタック上位レイヤにより、当該端末により開始された前記サービスが前記ＡＣＤＣチェックにパスすることができることを確認するとともに、前記ＡＣＤＣチェックにパスする前記サービスの前記アプリケーション識別子に対応する前記の獲得されたオーバーライド識別子が前記ＡＣＢチェックをオーバーライドしていないことを判定するように構成され、前記送信機は、前記オーバーライド識別子が前記ＡＣＢチェックをオーバーライドしていないことを前記プロセッサが判定したあとで、前記アクセスレイヤが前記ＡＣＢチェックを確認したあとでＲＲＣ接続を確立するように、前記プロトコルスタック上位レイヤにより、当該端末のアクセスレイヤにＲＲＣ確立要求メッセージを送信するように構成される。
【手続補正１１】
【補正対象書類名】明細書
【補正対象項目名】００２６
【補正方法】変更
【補正の内容】
【００２６】
端末のプロトコルスタック上位レイヤは、コアネットワーク装置により送信されるオーバーライド識別子を受信し、もし端末のプロトコルスタック上位レイヤが、端末により開始されたサービスがＡＣＤＣチェックにパスすることができることを確認するとともに、ＡＣＤＣチェックにパスするサービスのアプリケーション識別子に対応するオーバーライド識別子がアクセス・クラス・バーリング（ＡＣＢ）チェックをオーバーライドしていることを判定するならば、端末のプロトコルスタック上位レイヤは、端末のアクセスレイヤにＲＲＣ確立要求メッセージを送信し、ここで、要求メッセージはＡＣＢチェックを実行しない指示を伝送し、したがって、ＡＣＢチェックは実行される必要がない。したがって、いくつかの特別な場合において、たとえ端末がＡＣＢチェックにパスすることができないとしても、端末は、まだいくつかの特定のアプリケーションのサービス（例えば、災害情報掲示板サービス）を実行することができる。
【手続補正１２】
【補正対象書類名】明細書
【補正対象項目名】００２８
【補正方法】変更
【補正の内容】
【００２８】
【図１】本発明の一実施例によるアクセス制御方法のフローチャートである。
【図２】本発明の別の実施例によるアクセス制御方法のフローチャートである。
【図３】本発明の別の実施例によるアクセス制御方法のフローチャートである。
【図４】本発明の別の実施例によるアクセス制御方法のフローチャートである。
【図５】本発明の別の実施例によるアクセス制御方法のフローチャートである。
【図６】本発明の別の実施例によるアクセス制御方法のフローチャートである。
【図７】本発明の別の実施例によるアクセス制御方法のフローチャートである。
【図８】本発明の別の実施例によるアクセス制御方法のフローチャートである。
【図９】本発明の別の実施例によるアクセス制御方法のフローチャートである。
【図１０】本発明の別の実施例によるアクセス制御方法のフローチャートである。
【図１１】本発明の別の実施例によるアクセス制御方法のフローチャートである。
【図１２】本発明の別の実施例によるアクセス制御方法のフローチャートである。
【図１３】本発明による端末の別の実施例の概略構造図である。
【図１４】本発明による端末の別の実施例の概略構造図である。
【図１５】本発明による端末の別の実施例の概略構造図である。
【図１６】本発明による端末の別の実施例の概略構造図である。
【図１７】本発明による端末の別の実施例の概略構造図である。
【図１８】本発明による端末の別の実施例の概略構造図である。
【図１９】本発明による端末の別の実施例の概略構造図である。
【図２０】本発明による端末の別の実施例の概略構造図である。
【手続補正１３】
【補正対象書類名】明細書
【補正対象項目名】００３２
【補正方法】変更
【補正の内容】
【００３２】
端末のプロトコルスタック上位レイヤにより、オーバーライド識別子を獲得するステップは、端末のプロトコルスタック上位レイヤにより、コアネットワーク装置により送信されるオーバーライド識別子を受信するステップか、又は、端末のプロトコルスタック上位レイヤにより、コアネットワーク装置により送信されるとともにオーバーライド識別子を伝送するサービスリストを受信するステップか、又は、端末のプロトコルスタック上位レイヤにより、端末のアクセスレイヤにより送信されるとともにオーバーライド識別子を伝送するサービスリストを受信するステップか、又は、端末のプロトコルスタック上位レイヤにより、端末のアクセスレイヤを使用することによって無線アクセスネットワーク装置により送信されるオーバーライド識別子を受信するステップか、又は、端末のプロトコルスタック上位レイヤにより、局所的に設定されるオーバーライド識別子を獲得するステップか、又は、端末のプロトコルスタック上位レイヤにより、局所的に設定されるとともにオーバーライド識別子を伝送するサービスリストを獲得するステップを含む。
【手続補正１４】
【補正対象書類名】明細書
【補正対象項目名】００３４
【補正方法】変更
【補正の内容】
【００３４】
ステップ１０３ａ：もし端末のプロトコルスタック上位レイヤが、端末により開始されたサービスがＡＣＤＣチェックにパスすることができることを確認するとともに、ＡＣＤＣチェックにパスするサービスのアプリケーション識別子に対応するオーバーライド識別子がアクセス・クラス・バーリング（ＡＣＢ）チェックをオーバーライドしていることを判定するならば、端末のプロトコルスタック上位レイヤが、端末のアクセスレイヤにＲＲＣ確立要求メッセージを送信し、ここで、要求メッセージはＡＣＢチェックを実行しない指示を伝送する。
【手続補正１５】
【補正対象書類名】明細書
【補正対象項目名】００３５
【補正方法】変更
【補正の内容】
【００３５】
ステップ１０３ｂ：もし端末のプロトコルスタック上位レイヤが、端末により開始されたサービスがＡＣＤＣチェックにパスすることができることを確認するとともに、ＡＣＤＣチェックにパスするサービスのアプリケーション識別子に対応するオーバーライド識別子がＡＣＢチェックをオーバーライドしていないことを判定するならば、端末のアクセスレイヤがＡＣＢチェックがパスされることを確認したあとでＲＲＣ接続を確立するように、端末のプロトコルスタック上位レイヤが、端末のアクセスレイヤにＲＲＣ確立要求メッセージを送信する。
【手続補正１６】
【補正対象書類名】明細書
【補正対象項目名】００３６
【補正方法】変更
【補正の内容】
【００３６】
端末のプロトコルスタック上位レイヤは、コアネットワークにより送信されるオーバーライド識別子を受信し、もし端末のプロトコルスタック上位レイヤが、端末により開始されたサービスがＡＣＤＣチェックにパスすることができることを確認するとともに、ＡＣＤＣチェックにパスするサービスのアプリケーション識別子に対応するオーバーライド識別子がアクセス・クラス・バーリング（ＡＣＢ）チェックをオーバーライドしていることを判定するならば、端末のプロトコルスタック上位レイヤは、端末のアクセスレイヤにＲＲＣ確立要求メッセージを送信し、ここで、要求メッセージはＡＣＢチェックを実行しない指示を伝送する。したがって、いくつかの特別な場合において、たとえ端末がＡＣＢチェックにパスすることができないとしても、端末は、まだいくつかの特定のアプリケーションのサービス（例えば、災害情報掲示板サービス）を実行することができる。
【手続補正１７】
【補正対象書類名】明細書
【補正対象項目名】００３８
【補正方法】変更
【補正の内容】
【００３８】
さらに、端末のプロトコルスタック上位レイヤにより、端末により開始されたサービスに従ってＡＣＤＣチェックを開始するステップの前に、方法は、もし端末がアイドル状態にあるならば、端末のプロトコルスタック上位レイヤにより、無線アクセスネットワーク装置により送信されるシステム同報メッセージを受信するとともに、端末のプロトコルスタック上位レイヤにＡＣＤＣチェックを開始することを通知するステップであって、無線アクセスネットワーク装置が、無線アクセスネットワーク装置及び／又はコアネットワーク装置が輻輳していることを知り、ＡＣＤＣチェックを開始したあとで、システム同報メッセージが、無線アクセスネットワーク装置により送信される、ステップか、又は、もし端末が接続状態にあるならば、端末のプロトコルスタック上位レイヤにより、無線アクセスネットワーク装置により送信される専用シグナリングを受信するとともに、端末のプロトコルスタック上位レイヤにＡＣＤＣチェックを開始することを通知するステップであって、無線アクセスネットワーク装置が、無線アクセスネットワーク装置及び／又はコアネットワーク装置が輻輳していることを知り、ＡＣＤＣチェックを開始したあとで、専用シグナリングが、無線アクセスネットワーク装置により送信される、ステップを更に含む。
【手続補正１８】
【補正対象書類名】明細書
【補正対象項目名】００４３
【補正方法】変更
【補正の内容】
【００４３】
ステップ２０４ａ：もし記憶されたオーバーライド識別子がＡＣＢチェックをオーバーライドしていることを判定するならば、端末のアクセスレイヤが、ＲＲＣ接続を確立する。
【手続補正１９】
【補正対象書類名】明細書
【補正対象項目名】００４４
【補正方法】変更
【補正の内容】
【００４４】
ステップ２０４ｂ：もし記憶されたオーバーライド識別子がＡＣＢチェックをオーバーライドしていないことを判定するならば、端末のアクセスレイヤが、ＡＣＢチェックを開始し、ＡＣＢチェックがパスされたあとでＲＲＣ接続を確立する。
【手続補正２０】
【補正対象書類名】明細書
【補正対象項目名】００４５
【補正方法】変更
【補正の内容】
【００４５】
この実施例では、端末のアクセスレイヤが、オーバーライド識別子を受信して記憶し、端末により開始されたサービスがＡＣＤＣチェックにパスしたあとで、端末のアクセスレイヤが、ＲＲＣ確立要求を受信し、もし記憶されたオーバーライド識別子がＡＣＢチェックをオーバーライドしていることを判定するならば、端末のアクセスレイヤが、ＲＲＣ接続を確立する。したがって、いくつかの特別な場合において、たとえ端末がＡＣＢチェックにパスすることができないとしても、端末は、まだいくつかの特定のアプリケーションのサービス（例えば、災害情報掲示板サービス）を実行することができる。
【手続補正２１】
【補正対象書類名】明細書
【補正対象項目名】００６２
【補正方法】変更
【補正の内容】
【００６２】
【表１】
2016521080.tif 000025
【手続補正２２】
【補正対象書類名】明細書
【補正対象項目名】００６３
【補正方法】変更
【補正の内容】
【００６３】
サービスリスト１は、３つのアプリケーション識別子ＡＰＰ１、ＡＰＰ２、及びＡＰＰ３を含むことができ、それは、ＡＣＤＣチェックが開始されたあとで、３つのアプリケーション識別子に対応するサービスだけが開始されることを許可される、ということを示す。例えば、ＡＰＰ１は災害情報掲示板サービスであるかもしれず、ＡＰＰ２はＱＱ（インスタントメッセージングソフトウェア）サービスであるかもしれず、そしてＡＰＰ３はInternetサービスであるかもしれない。オーバーライド識別子は、サービスリストから独立していても良く、１又は０の値を有し得る。例えば、オーバーライド識別子が０である場合に、それは、ＡＣＤＣチェックとＡＣＢチェックの両方が実行される必要があることを示し、オーバーライド識別子が１である場合に、それは、ＡＣＤＣチェックだけが実行される必要があることを示す。本発明のこの実施例は、オーバーライド識別子の値が、ＡＰＰ１、ＡＰＰ２、及びＡＰＰ３に対してＡＣＤＣチェックだけが実行されるとともに、ＡＣＢチェックは実行される必要がないことを示す１である一例を使用することにより説明される。
【手続補正２３】
【補正対象書類名】明細書
【補正対象項目名】００８３
【補正方法】変更
【補正の内容】
【００８３】
サービスリストは、ブラックリストの形式で、又はホワイトリストの形式で、表されることができ、ここで、ホワイトリストは許可されるサービスのアプリケーション識別子を含むとともに、ブラックリストは、禁止されるサービスのアプリケーション識別子を含む。各アプリケーション識別子は、ＡＣＤＣチェックがＡＣＢチェックをオーバーライドしているかどうかを示す識別子に対応する。テーブル２において示されたように、サービスリストは、一例としてホワイトリスト形式を使用することにより記述される。
【手続補正２４】
【補正対象書類名】明細書
【補正対象項目名】００８４
【補正方法】変更
【補正の内容】
【００８４】
【表２】
2016521080.tif 000026
【手続補正２５】
【補正対象書類名】明細書
【補正対象項目名】００８５
【補正方法】変更
【補正の内容】
【００８５】
サービスリスト１は、アプリケーション識別子、及びオーバーライド識別子を含み得る。アプリケーション識別子は、ＡＰＰ１、ＡＰＰ２、及びＡＰＰ３を含むことができ、それは、ＡＣＤＣチェックが開始されたあとで、３つのアプリケーション識別子に対応するサービスだけが開始されることを許可される、ということを示す。例えば、ＡＰＰ１は災害情報掲示板サービスであるかもしれず、ＡＰＰ２はＱＱサービスであるかもしれず、そしてＡＰＰ３はInternetサービスであるかもしれない。オーバーライド識別子は、１又は０の値を有し得る。オーバーライド識別子の値が０である場合に、それは、ＡＣＤＣチェックとＡＣＢチェックの両方が実行される必要があることを示し、オーバーライド識別子の値が１である場合に、それは、ＡＣＤＣチェックだけが実行される必要があり、ＡＣＢチェックは実行される必要がないことを示す。したがって、ネットワーク輻輳の場合において、たとえ端末がＡＣＢチェックにパスすることができないとしても、端末は、まだ災害情報掲示板サービスを実行することができ、それにより、ユーザの安全を保証する。
【手続補正２６】
【補正対象書類名】明細書
【補正対象項目名】００９５
【補正方法】変更
【補正の内容】
【００９５】
５１０：端末のアクセスレイヤは、受信されたオーバーライド識別子に従ってＡＣＢチェックが実行される必要があるかどうかを判定する。
【手続補正２７】
【補正対象書類名】明細書
【補正対象項目名】０１０３
【補正方法】変更
【補正の内容】
【０１０３】
ステップ６０２〜６０７は、図５の実施例におけるステップ５０２〜５０７と同様であり、ここでは詳細に説明されない。
【手続補正２８】
【補正対象書類名】明細書
【補正対象項目名】０１０７
【補正方法】変更
【補正の内容】
【０１０７】
ステップ６０９〜６１２ａは、図５の実施例におけるステップ５０９〜５１２ａと同様であり、ここでは詳細に説明されない。
【手続補正２９】
【補正対象書類名】明細書
【補正対象項目名】０１４１
【補正方法】変更
【補正の内容】
【０１４１】
この実施例における確認方法は、前述の実施例における確認方法と異なる。この実施例では、端末のアクセスレイヤは、ＲＲＣ確立要求を受信することだけを必要とし、それは、端末のアクセスレイヤが記憶されたオーバーライド識別子がＡＣＢチェックをオーバーライドしているかどうかを確認することを誘発する。
【手続補正３０】
【補正対象書類名】明細書
【補正対象項目名】０１４６
【補正方法】変更
【補正の内容】
【０１４６】
この実施例では、端末のアクセスレイヤは、無線アクセスネットワーク装置により送信されるオーバーライド識別子を記憶し、もし開始されたサービスがＡＣＤＣチェックにパスすることを判定するならば、端末のプロトコルスタック上位レイヤは、端末のアクセスレイヤが記憶されたオーバーライド識別子に従ってオーバーライド識別子がＡＣＢチェックをオーバーライドしているかどうかを確認することを誘発するために、端末のアクセスレイヤにＲＲＣ確立要求を送信し、もしオーバーライド識別子がＡＣＢチェックをオーバーライドしているならば、ＡＣＢチェックは実行される必要がない。したがって、いくつかの特別な場合において、たとえ端末がＡＣＢチェックにパスすることができないとしても、端末は、まだいくつかの特定のアプリケーションのサービス（例えば、災害情報掲示板サービス）を実行することができる。
【手続補正３１】
【補正対象書類名】明細書
【補正対象項目名】０１４８
【補正方法】変更
【補正の内容】
【０１４８】
ステップ１００１〜１００３は、図９の実施例におけるステップ９０１〜９０３と同様であり、ここでは詳細に説明されない。
【手続補正３２】
【補正対象書類名】明細書
【補正対象項目名】０１５６
【補正方法】変更
【補正の内容】
【０１５６】
ステップ１００９〜１０１２ａは、図９の実施例におけるステップ９０９〜９１２ａと同様であり、ここでは詳細に説明されない。
【手続補正３３】
【補正対象書類名】明細書
【補正対象項目名】０１５７
【補正方法】変更
【補正の内容】
【０１５７】
この実施例では、端末のアクセスレイヤは、無線アクセスネットワーク装置により送信されるオーバーライド識別子を記憶し、もし開始されたサービスがＡＣＤＣチェックにパスすることを判定するならば、端末のプロトコルスタック上位レイヤは、端末のアクセスレイヤが記憶されたオーバーライド識別子に従ってオーバーライド識別子がＡＣＢチェックをオーバーライドしているかどうかを確認することを誘発するために、端末のアクセスレイヤにＲＲＣ確立要求を送信し、もしオーバーライド識別子がＡＣＢチェックをオーバーライドしているならば、ＡＣＢチェックは実行される必要がない。したがって、いくつかの特別な場合において、たとえ端末がＡＣＢチェックにパスすることができないとしても、端末は、まだいくつかの特定のアプリケーションのサービス（例えば、災害情報掲示板サービス）を実行することができる。
【手続補正３４】
【補正対象書類名】明細書
【補正対象項目名】０１７１
【補正方法】変更
【補正の内容】
【０１７１】
本発明の別の実施例により提供されるアクセス制御方法は、前述の実施例と同様である。差異は、前述の実施例では、端末がネットワーク側からオーバーライド識別子を獲得し、一方、この実施例では、端末のプロトコルスタック上位レイヤが、局所的に設定されるオーバーライド識別子を獲得することができ、ここで、局所的に設定されるオーバーライド識別子は、端末の出荷の前にプリセットされるオーバーライド識別子であり得る、ということである。
【手続補正３５】
【補正対象書類名】明細書
【補正対象項目名】０１７４
【補正方法】変更
【補正の内容】
【０１７４】
図１３は、本発明による端末の一実施例の概略構造図である。端末は、プロトコルスタック上位レイヤにより、オーバーライド識別子を獲得するように構成される獲得モジュール１３０１と、プロトコルスタック上位レイヤにより、端末により開始されたサービスに従ってアプリケーション・スペシフィック・コンジェスチョン・コントロール・フォー・データ・コネクティビティ（ＡＣＤＣ）チェックを開始するように構成される処理モジュール１３０２と、プロトコルスタック上位レイヤにより、端末により開始されたサービスがＡＣＤＣチェックにパスすることができることを確認するとともに、ＡＣＤＣチェックにパスするサービスのアプリケーション識別子に対応するとともに獲得モジュールにより獲得されるオーバーライド識別子がアクセス・クラス・バーリング（ＡＣＢ）チェックをオーバーライドしていることを判定するように構成される判定モジュール１３０３と、オーバーライド識別子がアクセス・クラス・バーリング（ＡＣＢ）チェックをオーバーライドしていることを判定モジュール１３０３が判定したあとで、プロトコルスタック上位レイヤにより、端末のアクセスレイヤにＲＲＣ確立要求メッセージを送信するように構成される送信モジュール１３０４であって、要求メッセージがＡＣＢチェックを実行しない指示を伝送する、送信モジュール１３０４とを含み、判定モジュール１３０３は、プロトコルスタック上位レイヤにより、端末により開始されたサービスがＡＣＤＣチェックにパスすることができることを確認するとともに、ＡＣＤＣチェックにパスするサービスのアプリケーション識別子に対応するとともに獲得モジュールにより獲得されるオーバーライド識別子がＡＣＢチェックをオーバーライドしていないことを判定するように構成され、送信モジュール１３０４は、オーバーライド識別子がＡＣＢチェックをオーバーライドしていないことを判定モジュール１３０３が判定したあとで、アクセスレイヤがＡＣＢチェックを確認したあとでＲＲＣ接続を確立するように、プロトコルスタック上位レイヤにより、端末のアクセスレイヤにＲＲＣ確立要求メッセージを送信するように構成される。
【手続補正３６】
【補正対象書類名】明細書
【補正対象項目名】０１７５
【補正方法】変更
【補正の内容】
【０１７５】
獲得モジュールは、具体的に、プロトコルスタック上位レイヤにより、コアネットワーク装置により送信されるオーバーライド識別子を受信するか、又は、プロトコルスタック上位レイヤにより、コアネットワーク装置により送信されるとともにオーバーライド識別子を伝送するサービスリストを受信するか、又は、プロトコルスタック上位レイヤにより、端末のアクセスレイヤにより送信されるとともにオーバーライド識別子を伝送するサービスリストを受信するか、又は、プロトコルスタック上位レイヤにより、端末のアクセスレイヤを使用することによって無線アクセスネットワーク装置により送信されるオーバーライド識別子を受信するか、又は、プロトコルスタック上位レイヤにより、局所的に設定されるオーバーライド識別子を獲得するか、又は、プロトコルスタック上位レイヤにより、局所的に設定されるとともにオーバーライド識別子を伝送するサービスリストを獲得するように構成され得る。
【手続補正３７】
【補正対象書類名】明細書
【補正対象項目名】０１７７
【補正方法】変更
【補正の内容】
【０１７７】
任意に、端末は、受信モジュール１３０６であって、プロトコルスタック上位レイヤにより、無線アクセスネットワーク装置により送信されるシステム同報メッセージを受信するとともに、端末のプロトコルスタック上位レイヤにＡＣＤＣチェックを開始することを通知するように構成され、無線アクセスネットワーク装置が、無線アクセスネットワーク装置及び／又はコアネットワーク装置が輻輳していることを知り、ＡＣＤＣチェックを開始したあとで、システム同報メッセージが、無線アクセスネットワーク装置により送信されるか、又は、プロトコルスタック上位レイヤにより、無線アクセスネットワーク装置により送信される専用シグナリングを受信するとともに、端末のプロトコルスタック上位レイヤにＡＣＤＣチェックを開始することを通知するように構成され、無線アクセスネットワーク装置が、無線アクセスネットワーク装置及び／又はコアネットワーク装置が輻輳していることを知り、ＡＣＤＣチェックを開始したあとで、専用シグナリングが、無線アクセスネットワーク装置により送信される、受信モジュール１３０６を更に含み得る。
【手続補正３８】
【補正対象書類名】明細書
【補正対象項目名】０１７８
【補正方法】変更
【補正の内容】
【０１７８】
端末のプロトコルスタック上位レイヤは、コアネットワークにより送信されるオーバーライド識別子を受信し、もし端末のプロトコルスタック上位レイヤが、端末により開始されたサービスがＡＣＤＣチェックにパスすることができることを確認するとともに、ＡＣＤＣチェックにパスするサービスのアプリケーション識別子に対応するオーバーライド識別子がアクセス・クラス・バーリング（ＡＣＢ）チェックをオーバーライドしていることを判定するならば、端末のプロトコルスタック上位レイヤは、端末のアクセスレイヤにＲＲＣ確立要求メッセージを送信し、ここで、要求メッセージはＡＣＢチェックを実行しない指示を伝送し、したがって、ＡＣＢチェックは実行される必要がない。したがって、いくつかの特別な場合において、たとえ端末がＡＣＢチェックにパスすることができないとしても、端末は、まだいくつかの特定のアプリケーションのサービス（例えば、災害情報掲示板サービス）を実行することができる。
【手続補正３９】
【補正対象書類名】明細書
【補正対象項目名】０１９０
【補正方法】変更
【補正の内容】
【０１９０】
図１７は、本発明の別の実施例による端末である。端末は、プロトコルスタック上位レイヤにより、オーバーライド識別子を獲得するように構成されるプロセッサ１７０１であって、プロトコルスタック上位レイヤにより、端末により開始されたサービスに従ってアプリケーション・スペシフィック・コンジェスチョン・コントロール・フォー・データ・コネクティビティ（ＡＣＤＣ）チェックを開始するように構成され、プロトコルスタック上位レイヤにより、端末により開始されたサービスがＡＣＤＣチェックにパスすることができることを確認するとともに、ＡＣＤＣチェックにパスするサービスのアプリケーション識別子に対応する獲得されたオーバーライド識別子がアクセス・クラス・バーリング（ＡＣＢ）チェックをオーバーライドしていることを判定するように構成されるプロセッサ１７０１と、オーバーライド識別子がアクセス・クラス・バーリング（ＡＣＢ）チェックをオーバーライドしていることをプロセッサが判定したあとで、プロトコルスタック上位レイヤにより、端末のアクセスレイヤにＲＲＣ確立要求メッセージを送信するように構成される送信機１７０２であって、要求メッセージがＡＣＢチェックを実行しない指示を伝送する、送信機１７０２とを含み、プロセッサ１７０１は、プロトコルスタック上位レイヤにより、端末により開始されたサービスがＡＣＤＣチェックにパスすることができることを確認するとともに、ＡＣＤＣチェックにパスするサービスのアプリケーション識別子に対応する獲得されたオーバーライド識別子がＡＣＢチェックをオーバーライドしていないことを判定するように構成され、送信機１７０２は、オーバーライド識別子がＡＣＢチェックをオーバーライドしていないことをプロセッサが判定したあとで、アクセスレイヤがＡＣＢチェックを確認したあとでＲＲＣ接続を確立するように、プロトコルスタック上位レイヤにより、端末のアクセスレイヤにＲＲＣ確立要求メッセージを送信するように構成される。
【手続補正４０】
【補正対象書類名】明細書
【補正対象項目名】０１９１
【補正方法】変更
【補正の内容】
【０１９１】
本発明のこの実施例では、プロトコルスタック上位レイヤが、獲得されたオーバーライド識別子に従って、端末により開始されたサービスがＡＣＤＣチェックにパスすることができることを確認するとともに、ＡＣＤＣチェックにパスするサービスのアプリケーション識別子に対応するとともに獲得モジュールにより獲得されるオーバーライド識別子がアクセス・クラス・バーリング（ＡＣＢ）チェックをオーバーライドしていることを判定する。したがって、いくつかの特別な場合において、たとえ端末がＡＣＢチェックにパスすることができないとしても、端末は、まだいくつかの特定のアプリケーションのサービス（例えば、災害情報掲示板サービス）を実行することができる。
【手続補正４１】
【補正対象書類名】明細書
【補正対象項目名】０１９２
【補正方法】変更
【補正の内容】
【０１９２】
プロセッサは、具体的に、プロトコルスタック上位レイヤにより、コアネットワーク装置により送信されるオーバーライド識別子を受信するか、又は、プロトコルスタック上位レイヤにより、コアネットワーク装置により送信されるとともにオーバーライド識別子を伝送するサービスリストを受信するか、又は、プロトコルスタック上位レイヤにより、端末のアクセスレイヤにより送信されるとともにオーバーライド識別子を伝送するサービスリストを受信するか、又は、プロトコルスタック上位レイヤにより、端末のアクセスレイヤを使用することによって無線アクセスネットワーク装置により送信されるオーバーライド識別子を受信するか、又は、プロトコルスタック上位レイヤにより、局所的に設定されるオーバーライド識別子を獲得するか、又は、プロトコルスタック上位レイヤにより、局所的に設定されるとともにオーバーライド識別子を伝送するサービスリストを獲得するように構成される。
【手続補正４２】
【補正対象書類名】明細書
【補正対象項目名】０１９３
【補正方法】変更
【補正の内容】
【０１９３】
さらに、プロセッサは、プロトコルスタック上位レイヤにより、ＡＣＤＣチェックにパスするサービスのアプリケーション識別子に対応する獲得されたオーバーライド識別子に従ってＡＣＢチェックが実行される必要があるかどうかを判定するように更に構成される。
【手続補正４３】
【補正対象書類名】明細書
【補正対象項目名】０１９４
【補正方法】変更
【補正の内容】
【０１９４】
さらに、端末は、受信機であって、プロトコルスタック上位レイヤにより、無線アクセスネットワーク装置により送信されるシステム同報メッセージを受信するとともに、端末のプロトコルスタック上位レイヤにＡＣＤＣチェックを開始することを通知するように構成され、無線アクセスネットワーク装置が、無線アクセスネットワーク装置及び／又はコアネットワーク装置が輻輳していることを知り、ＡＣＤＣチェックを開始したあとで、システム同報メッセージが、無線アクセスネットワーク装置により送信されるか、又は、プロトコルスタック上位レイヤにより、無線アクセスネットワーク装置により送信される専用シグナリングを受信するとともに、端末のプロトコルスタック上位レイヤにＡＣＤＣチェックを開始することを通知するように構成され、無線アクセスネットワーク装置が、無線アクセスネットワーク装置及び／又はコアネットワーク装置が輻輳していることを知り、ＡＣＤＣチェックを開始したあとで、専用シグナリングが、無線アクセスネットワーク装置により送信される、受信機を更に含む。
【国際調査報告】
2016521080.tif 000027
2016521080.tif 000028
2016521080.tif 000029
2016521080.tif 000030